(57)【要約】【課題】従来の装置では、インクの色の数だけ表示用ＬＥＤが必要となり、或いは、ディスプレイを配置するために広いスペースが必要になって不経済であった。【解決手段】複数の色を発光表示可能な１個の発光表示ランプ２１と、その発光表示ランプ２１による表示可能な色の数と同数の色のインクを収納したインクタンクと、そのインクタンクに収納された複数のインクの量を各色のインク毎に検出してそれぞれの検出信号を出力するインク量検出部と、印刷装置１０の動作を検出してその検出信号を出力する印刷動作検出部と、ディスクドライブ装置９の動作を検出してその検出信号を出力するドライブ動作検出部と、インク量検出部からの検出信号と印刷動作検出部からの検出信号とドライブ動作検出部からの検出信号とに基づき印刷装置１０の動作とディスクドライブ装置９の動作と各色のインク量に応じて発光表示ランプ２１による発光色及び発光状態を制御する第１の発光制御部と、を設けた。【選択図】図１０
2009170010.tif 000002
【特許請求の範囲】
【請求項１】
ディスク状記録媒体が着脱可能に装着されると共に前記ディスク状記録媒体を回転させて該ディスク状記録媒体の情報記録部に対して情報信号の記録及び／又は再生を行うディスクドライブ装置と、
前記ディスク状記録媒体の前記情報記録部と反対側のレーベル面にインク滴を吹き付けて印刷を行う印刷装置と、
を備えた印刷装置付ディスク記録及び／又は再生装置において、
複数の色を発光表示可能な１個の発光表示部と、
前記発光表示部による表示可能な色の数と同数の色のインクを収納したインクタンクと、
前記インクタンクに収納された複数のインクの量を各色のインク毎に検出してそれぞれの検出信号を出力するインク量検出部と、
前記印刷装置の動作を検出してその検出信号を出力する印刷動作検出部と、
前記ディスクドライブ装置の動作を検出してその検出信号を出力するドライブ動作検出部と、
前記インク量検出部からの検出信号と前記印刷動作検出部からの検出信号と前記ドライブ動作検出部からの検出信号とに基づき前記印刷装置の動作と前記ディスクドライブ装置の動作と前記各色のインク量に応じて前記発光表示部による発光色及び発光状態を制御する第１の発光制御部と、を設けた
ことを特徴とする印刷装置付ディスク記録及び／又は再生装置。
【請求項２】
前記インク量検出部からの検出信号のみに基づき前記各色のインク量に応じて前記発光表示部による発光色及び発光状態を制御する第２の発光制御部を設けた
ことを特徴とする請求項１記載の印刷装置付ディスク記録及び／又は再生装置。
【請求項３】
前記発光表示部は、シアン、マゼンタ、イエローの３色の光を個別に又は混合させて表示可能な発光表示ランプである
ことを特徴とする請求項１記載の印刷装置付ディスク記録及び／又は再生装置。
【請求項４】
前記第１の発光制御部は、前記インクの残量が無いときには前記発光表示部を点灯させて表示し、前記インクの残量が所定量より少ないときには前記発光表示部を点滅させて表示するようにした
ことを特徴とする請求項１記載の印刷装置付ディスク記録及び／又は再生装置。
【請求項５】
前記第２の発光制御部は、前記インクの残量に応じて前記発光表示部を点灯させる時間と前記発光表示部を消灯させる時間を設定し、点灯時間と消灯時間の長短によって前記インクの残量を表示するようにした
ことを特徴とする請求項１記載の印刷装置付ディスク記録及び／又は再生装置。
【発明の詳細な説明】
【技術分野】
【０００１】
本発明は、ディスク状記録媒体に対して情報信号の記録及び／又は再生を行うディスクドライブ装置と、インクタンクに収容した複数の色のインクを用いて前記ディスク状記録媒体のレーベル面に印刷を施すようにした印刷装置と、を備えた印刷装置付ディスク記録及び／又は再生装置に関し、特に、前記インクタンク内のインクの状態に基づき１個の表示ランプで表示形態を替えて表示するようにした印刷装置付ディスク記録及び／又は再生装置に関する。
【背景技術】
【０００２】
一般に、インクジェットプリンタでは、ユーザーがインクの残量を確実に把握できるようにして、インクタンク内のインクの残量が少ない場合には、予め予備のインクを購入しておき、インクを使い切ったときには、次のインクに即座に取り替えることができるような利便性が求められている。そのために、インクタンク内にあるインクの残量を正しく検出する技術や、その検出したインクの残量をユーザーに対して分かり易く表示する技術について、多数の技術が提供されている。
【０００３】
このような、インクタンク内のインクの残量を表示する技術としては、例えば、特許文献１に記載されているようなものが知られている。特許文献１には、インクヘッドと印字ヘッドとを一体化したインクカートリッジの交換時期を印字品質が低下する前に知ることができるインクジェットプリンタ及びこのプリンタに使用されるインクカートリッジに関するものが記載されている。この特許文献１に記載されたインクジェットプリンタ（以下「第１の従来例」という。）は、「印字ヘッドの通電回数をカウントするカウント手段と、このカウント手段によるカウント値を累積記憶する記憶手段と、この記憶手段による記憶値に基づいて前記インクタンクのインク残量を報知する報知手段とを備えた」ことを特徴としている。
【０００４】
また、従来の、この種のインク残量の表示技術としては、例えば、特許文献２に記載されているようなものもある。特許文献２には、カートリッジ内の記録剤残量の減少に伴いカートリッジ交換が必要となった際に、その交換要カートリッジの配置位置を表示手段に表示させるための表示制御装置、印刷装置及び交換要カートリッジ位置表示方法に関するものが記載されている。この特許文献２に記載された表示制御装置（以下「第２の従来例」という。）は、「記録剤の入ったカートリッジを収容するカートリッジ収容部が複数箇所に備えられてなる印刷装置に装着される前記カートリッジに関する情報を、表示手段に表示させるための表示制御装置であって、前記カートリッジの前記記録剤の残量を該カートリッジごとに検出する検出手段と、前記検出手段の検出値に基づき、前記記録剤の残量が閾値を下回った際に、その交換要カートリッジの収容されている前記カートリッジ収容部の位置情報を前記表示手段に表示させる表示制御手段と、を備えた」ことを特徴としている。
【特許文献１】特開平４−２７５１５６号公報
【特許文献２】特開２００６−１１６９５６号公報
【０００５】
しかしながら、前述した第１の従来例の場合は、プリンタ専用機に関するものであり、ディスク記録及び／又は再生装置に印刷装置を組み合わせた装置に、インク残量表示機構を設けたものは存在しなかった。また、前述したプリンタ専用機は、印字ヘッドの通電回数を通電カウンタでカウントし、そのカウント値をＥＥＰＲＯＭで累積して、その累積値によってニアエンドとインクエンドを判定する。そして、累積値がニアエンド判定値に達するとニアエンド表示用ＬＥＤを点灯させ、インクエンド判定値に達するとインクエンド表示用ＬＥＤを点灯させる構成となっていた。そのため、インクの色の数だけ表示用ＬＥＤが必要となり、表示素子の数が多くて不経済であるばかりでなく、全ての表示素子を見易く配置するためには広い配置スペースが必要になるという問題があった。
【０００６】
また、第２の従来例の場合には、同じくプリンタ専用機に関するものであるが、インクカートリッジのインク残量を色ごとに管理するインク残量管理部と、ディスプレイを表示制御する表示制御部とを備え、複数のカートリッジ収納部に収納されたインクカートリッジのインク残量が閾値を下回ってインクエンドを認識すると、ディスプレイにインクエンド画面を表示して、交換要カートリッジの配置場所、色に関する識別記号、型番等を表示する構成となっていた。そのため、表示手段としてディスプレイが必要とされることから、高価な部品が必要になって不経済であるばかりでなく、そのディスプレイを配置するために広いスペースが必要となり、特に、小型のディスク記録及び／又は再生装置に用いる表示手段或いは表示方法としては不適当であるという問題があった。
【発明の開示】
【発明が解決しようとする課題】
【０００７】
解決しようとする問題点は、従来の装置では、インクの色の数だけ表示用ＬＥＤが必要となり、或いは、ディスプレイを配置するために広いスペースが必要になって不経済であり、また、小型のディスク記録及び／又は再生装置に用いる表示手段或いは表示方法としては不適当であるという点である。
【課題を解決するための手段】
【０００８】
本発明の印刷装置付ディスク記録及び／又は再生装置は、ディスク状記録媒体が着脱可能に装着されると共にディスク状記録媒体を回転させてディスク状記録媒体の情報記録部に対して情報信号の記録及び／又は再生を行うディスクドライブ装置と、そのディスク状記録媒体の情報記録部と反対側のレーベル面にインク滴を吹き付けて印刷を行う印刷装置と、を備えた印刷装置付ディスク記録及び／又は再生装置において、複数の色を発光表示可能な１個の発光表示部と、その発光表示部による表示可能な色の数と同数の色のインクを収納したインクタンクと、そのインクタンクに収納された複数のインクの量を各色のインク毎に検出してそれぞれの検出信号を出力するインク量検出部と、印刷装置の動作を検出してその検出信号を出力する印刷動作検出部と、ディスクドライブ装置の動作を検出してその検出信号を出力するドライブ動作検出部と、インク量検出部からの検出信号と印刷動作検出部からの検出信号とドライブ動作検出部からの検出信号とに基づき印刷装置の動作とディスクドライブ装置の動作と各色のインク量に応じて発光表示部による発光色及び発光状態を制御する第１の発光制御部と、を設けたことを最も主要な特徴とする。
【発明の効果】
【０００９】
本発明の印刷装置付ディスク記録及び／又は再生装置によれば、１個の発光表示部により、各インクの残量に応じて発光色や発光形態を替えて表示することにより、印刷機能に関する動作やその状態を表示することができ、インク量を定量的に知ることができて、インク状態の認識性を高めることができる。
【発明を実施するための最良の形態】
【００１０】
ディスクドライブ装置と印刷装置を備えたディスク記録及び／又は再生装置において、１個の発光表示部とインクタンクとインク量検出部と印刷動作検出部とドライブ動作検出部と発光制御部を設けることにより、１個の発光表示部による表示形態を変化させてインク残量の多少や有無を発光表示することができる印刷装置付ディスク記録及び／又は再生装置を、簡単な構成によって実現した。
【００１１】
図１〜図３１は、本発明の実施の形態の例を説明するものである。以下に、添付した図面を参照して、本発明の実施の形態の例を説明する。
【００１２】
図１乃至図７は、本発明の印刷装置付ディスク記録及び／又は再生装置の第１の実施の形態を示す光ディスク装置１である。この光ディスク装置１は、印刷対象物であるディスク状記録媒体の一具体例を示す光ディスク、例えば、ＣＤ−Ｒ（Recordable）、ＤＶＤ−ＲＷ（Rewritable）、Ｂｌｕ−ｒａｙ  Ｄｉｓｃ（商標）、ＨＤ−ＤＶＤ等の光ディスク２の情報記録面に対して、新たに情報信号を記録（書込み）したり、予め記録されている情報信号を再生（読出し）したりすることが可能であると共に、光ディスク２の印刷面であるレーベル面に対して、文字、記号、写真、絵、模様等の可視情報を印刷できるようにしたトレイ方式の印刷機能付き記録再生装置である。
【００１３】
しかしながら、本発明の印刷装置付ディスク記録及び／又は再生装置としては、情報の記録と再生の両方が可能な光ディスク装置に限定されるものではなく、情報信号の記録のみが可能なディスク記録装置や、情報信号の再生のみが可能なディスク再生装置に適用できることは勿論である。また、ディスク状記録媒体としては、レーザ光を用いて情報信号の記録や再生を行う光ディスクに限定されるものではなく、ニア・フィールド光を用いる光ディスク、光と磁気を用いる光磁気ディスク、磁気のみを用いる磁気ディスク等のように、外形がディスク状を形成している各種のディスク状記録媒体を記録メディアとして用いることができるものである。
【００１４】
図１は光ディスク装置１の外観斜視図、図２は筐体３の上面板５を取り除いた光ディスク装置１の斜視図、図３は同じく上面板５を取り除いた光ディスク装置１の平面図である。図１〜図３に示すように、光ディスク装置１は、中空の容器からなる筐体３と、この筐体３内に収納された装置本体８と、図示しないリモートコントローラ等の入力装置等を備えて構成されている。この光ディスク装置１には、図示しない画像表示装置や音声出力装置等の外部装置が電気的に接続可能とされており、光ディスク２の情報記録部から読み出した情報を画像や音声等で表示できるようになっている。画像表示装置としては、例えば、液晶ディスプレイ装置、有機ＥＬディスプレイ装置、プラズマディスプレイ装置等をあげることができる。また、音声出力装置としては、例えば、スピーカ装置等をあげることができる。
【００１５】
光ディスク装置１の筐体３は、長方形をなすベース板４と、このベース板４の上面を覆う上面板５と、前面を覆う前面板６と、背面を覆う背面板７を備えており、全体として中空の容器が構成されている。筐体３のベース板４の幅方向の両側には、それぞれ側面部４ａ，４ａが設けられている。各側面部４ａは、ベース板４の長手方向に所定の高さで延在されている。上面板５は、長方形をなす上面部５ａと、この上面部５ａの幅方向の両側に連続して形成されていて側面を覆う左右の側面部５ｂ，５ｂを有している。この上面板５は、ベース板４の上部に装着され、両側面部５ｂ，５ｂを図示しない固定ネジで各側面部４ａ，４ａに固定することによって取り付けられている。この上面板５とベース板４とで構成される筒状の前側開口部が前面板６によって閉じられ、後側開口部が背面板７によって閉じられている。そして、前面板６と背面板７は、図示しない固定ネジによってベース板４と上面板５にネジ止めされている。
【００１６】
前面板６の高さ方向の略中央部には、横方向に延在されたディスク出入口１１が設けられている。ディスク出入口１１には、ディスクトレイ１２が出し入れ可能に装着されている。ディスクトレイ１２は、ディスク収納部１３に載置された光ディスク２を、筐体３外のディスク取出位置と、筐体３内で光ディスク２に対して情報信号の記録（書込み）及び再生（読出し）が実行されるディスクドライブ装置９のディスク装着位置とに選択的に搬送するものである。このディスクトレイ１２は、光ディスク２よりもやや大きな平面長方形をなす板状部材からなるトレイ本体１４と、このトレイ本体１４の長手方向の一端に固定された遮蔽板１５とからなっている。トレイ本体１４の一方の平面である上面に、光ディスク２を収納するための円形の凹部からなるディスク収納部１３が設けられている。
【００１７】
また、トレイ本体１４には、後述するディスク装着部との接触を避けるための切欠き部１６が設けられている。この切欠き部１６は、ディスクトレイ１２の一方の短辺からディスク収納部１３の中央部に至るまで大きく切り欠かれて形成されている。トレイ本体１４の切欠き部１６と反対側の短辺に、遮蔽板１５が一体的に設けられている。遮蔽板１５は、ディスクトレイ１２がディスク装着位置へ移動したときに、ディスク出入口１１を閉じる蓋の機能を果たすものである。この遮蔽板１５は、ディスク出入口１１の形状に見合う横長の長方形とされており、ディスク出入口１１に着脱可能に嵌合される。
【００１８】
更に、前面板６のディスク出入口１１より上部には、発光表示部（アクセスランプ兼インク残量表示部）の一具体例を示す発光表示ランプ２１と、この発光表示ランプ２１による発光色及び発光状態を制御する第２の発光制御部であるインク残量通知ボタン２２と、ディスクトレイ１２を出し入れさせるイジェクトボタン３０とが設けられている。発光表示ランプ２１は、複数の光を点灯及び点滅させ、発光させる色、各色の点灯時間や点滅時間、色の変化等に意味を持たせて、ディスクドライブ装置９による光ディスク２に対する記録再生動作、光ディスク２への印刷動作、或いはインク量の多少や有無等のインク残量を表示するものである。なお、後述するインク残量表示の制御の第１の実施例と第２の実施例のように、インク残量通知ボタン２２を設けない場合と設ける場合を使い分けることもできる。
【００１９】
この発光表示ランプ２１は、少なくとも４色の光を発光表示可能な発光素子が望ましい。しかしながら、発光色が３色又は２色であってもこの発明を実施することができるが、４色以上であれば好適である。このような発光表示ランプ２１としては、例えば、日亜化学工業株式会社製の商品名「フルカラーＬＥＤ（型名：ＮＳＴＭ５１５）」を上げることができる。この「フルカラーＬＥＤ」は、発光部が砲弾型をなしたＲ（赤）Ｇ（緑）Ｂ（青）の発光表示が可能なフルカラー表示の発光素子である。この発光表示ランプ２１による色光の点灯及び点滅によって光ディスクに対する記録再生の動作状態及び、後述する印刷装置に関連するインク残量等の印刷機能動作を表示する。
【００２０】
ディスクドライブ装置９による光ディスク２に対する記録再生動作の動作表示パターンとしては、例えば、ディスク挿入、ディスク排出、記録、再生等の動作時に、点灯（ある時間連続して発光する状態）又は点滅（ある間隔によって発光を断続させる状態）させる。また、印刷装置による光ディスク２への印刷動作に関連する表示パターンとしては、例えば、印刷動作状態、インク残量等の装置状態を表すために、発光色及び点灯又は点滅の表示パターンを定める。具体的には、印刷動作、クリーニング動作等の動作時、及び／又は、インク残量が少ない状態、インク残量が無い状態、インクタンクが装着されていない状態等の状態時に、発光表示ランプ２１を点灯又は点滅させる。この場合、インク残量が無い状態、インクタンクが装着されていない状態等の装置の異常状態においては、印刷動作の有無に係わらず、電源が投入されている場合には、発光表示ランプ２１を持続して表示させることが望ましい。
【００２１】
この発光表示ランプ２１による動作表示のパターンとしては、例えば、図１１に示すような例を上げることができる。
光ディスクの記録再生動作としては、例えば、各動作時に、次のような表示を行う。ディスク挿入時には赤を点灯させる（赤点灯）。ディスク排出時には赤を点滅させる（赤点滅）。記録動作時には緑を点滅させる（緑点滅）。そして、再生動作時には緑を点灯させる（緑点灯）。また、光ディスクへの印刷動作、及び／又は、その状態表示としては、例えば、次のような表示を行う。印刷動作時には白を点灯させる（白点灯）。クリーニング動作時には白を点滅させる（白点滅）。
【００２２】
インク残量が少ない状態の表示としては、次のように表示することができる。例えば、マゼンタ（Ｍ）とシアン（Ｃ）とイエロー（Ｙ）の３色を有するインクタンクを使用する場合において、１色（例えばマゼンタ）の残量が少ない場合には、赤と青を同時に発光させてマゼンタの光を発生させ、そのマゼンタの光を点滅させる（マゼンタ点滅）。また、２色（例えばマゼンタとイエロー）の残量が少ない場合には、マゼンタの光（赤と青を同時に発光させる。）とイエローの光（赤と緑を同時に発光させる。）を交互に点滅させる（マゼンタ・イエロー点滅）。更に、３色（マゼンタとイエローとシアンのすべて）の残量が少ない場合には、マゼンタの光（赤と青を同時に発光させる。）とイエローの光（赤と緑を同時に発光させる。）とシアンの光（青と緑を同時に発光させる。）の３つを交互に点滅させる（マゼンタ・イエロー点滅）。
【００２３】
インク残量が無い状態の表示としては、次のように表示することができる。例えば、１色（例えばシアン）の残量が無い場合には、赤と青を同時に発光させてマゼンタ（Ｍ）の光を発生させ、そのマゼンタ（Ｍ）の光を点灯させ続ける（マゼンタ点灯）。また、２色（例えばシアンとマゼンタ）の残量が無い場合には、シアン（Ｃ）の光とマゼンタ（Ｍ）の光を、交互に一定時間点灯させる（シアン・マゼンタ交互点灯）。更に、３色（マゼンタとイエローとシアンのすべて）の残量がすべて無い場合には、シアン（Ｃ）の光とマゼンタ（Ｍ）の光とイエロー（Ｙ）の光の３つを、交互に一定時間点灯させる（シアン・マゼンタ・イエロー交互点灯）。また、インクタンクが未装着の状態の表示としては、次のように表示することができる。例えば、赤（Ｒ）の光と青（Ｂ）の光と緑（Ｇ）の光と白（Ｗ）の光（赤と青と緑を同時に発光させる。）の４つを、交互に一定時間点灯させる（３色＋白交互点灯）。
【００２４】
図１２は、ディスクドライブ装置９及び印刷装置の動作表示の例を時間経過を横軸として時間順に示すものである。図１２Ａは、ディスクドライブ装置９による光ディスク２に対する記録再生時の動作表示を示している。ディスクドライブ装置９に光ディスク２が装着されていない初期状態における時点Ｔ１ａでは、発光表示ランプ２１は点灯も点滅もせず、消灯した状態にある。時点Ｔ２ａにおいて、ディスクドライブ装置９に光ディスク２が挿入されると、発光表示ランプ２１を赤に点灯させる。この発光表示ランプ２１の赤点灯は、時点Ｔ３ａの挿入動作が終了するまで連続される。その後、時点Ｔ４ａに移って再生動作が開始されると、発光表示ランプ２１を緑に点灯させる。この発光表示ランプ２１の緑点灯は、時点Ｔ５ａの再生動作が終了するまで連続される。
【００２５】
次に、時点Ｔ６ａに移って記録動作が開始されると、発光表示ランプ２１を緑に点滅させる。この発光表示ランプ２１の緑点滅は、時点Ｔ７ａの記録動作が終了するまで連続される。そして、時点Ｔ７ａから再生動作が開始されると、発光表示ランプ２１が緑に点灯され、この発光表示ランプ２１の緑点灯が、時点Ｔ８ａの再生動作が終了するまで連続される。この場合、動作の当初である時点Ｔ１ａから時点Ｔ８ａの最後まで、印刷動作は行われない。
【００２６】
図１２Ｂは、光ディスク２への印刷時における記録再生動作と印刷動作と表示動作を示している。ディスクドライブ装置９に光ディスク２が装着されていない初期状態における時点Ｔ１ｂでは、発光表示ランプ２１は点灯も点滅もせず、消灯した状態にある。時点Ｔ２ｂにおいて、ディスクドライブ装置９による光ディスク２への記録動作が開始されると、発光表示ランプ２１が緑に点滅される。この発光表示ランプ２１の緑点滅は、時点Ｔ３ｂの記録動作が終了するまで連続される。続いて、時点Ｔ３ｂから再生動作が開始されると、発光表示ランプ２１が緑に点灯される。この発光表示ランプ２１の緑点灯は、時点Ｔ４ｂの再生動作が終了するまで連続される。
【００２７】
次に、時点Ｔ５ｂに移って、後述するようにディスクドライブ装置９によって光ディスク２の回転が印刷時の回転に制御されると、印刷装置による印刷動作が開始される。この時点Ｔ５ｂにおいて、発光表示ランプ２１は、白に点灯される。この発光表示ランプ２１の白点灯は、時点Ｔ６ｂの印刷動作が終了するまで連続される。そして、時点Ｔ７ｂから光ディスク２の排出動作が開始されると、発光表示ランプ２１が赤に点滅される。この発光表示ランプ２１の赤点滅は、時点Ｔ８ｂの排出動作が終了するまで連続される。
【００２８】
ここで、時点Ｔ５ｂ近傍で行われる光ディスク２の回転を印刷時の回転に制御するという動作は、図１〜図３の構造による実施例において、光ディスク２の回転運動と印刷ヘッド３１の並進運動による、所謂Ｒθ方式の印刷方法を用いていることから特徴的な動作となる。Ｒθ方式の印刷方法では、光ディスク２の回転を印刷目的に適切な回転に制御すると共に、印刷ヘッド３１を光ディスク２のレーベル面上に移動するよう制御した後、印刷動作が開始される。図１〜図３の実施例では、Ｒθ方式の印刷構造を用いていることから、本発明の印刷装置付ディスク記録及び／又は再生装置を小型に構成することができる。
【００２９】
もちろん、本発明の印刷装置付ディスク記録及び／又は再生装置における発光表示ランプ２１を用いた動作や状態の表示方法においては、印刷方法をＲθ方式に限定するものではなく、光ディスク２に対して印刷ヘッド３１が２軸の並進運動を行う、所謂ＸＹ方式の印刷方法においても、その表示方法を用いることができる。すなわち、ＸＹ方式の印刷方法の場合でも、印刷ヘッド３１を光ディスク２のレーベル面上に移動するよう制御した後に、印刷動作が開始されるので、それらの動作に合わせて発光表示ランプ２１の点灯状態を制御することになる。
【００３０】
図１２Ｃは、光ディスク２への印刷時における記録再生動作と印刷動作とインク残量の残少及び残無表示動作を示している。ディスクドライブ装置９によって光ディスク２が印刷回転数で回転駆動されている初期状態の時点Ｔ１ｃでは、発光表示ランプ２１は白に点灯される。印刷が終了して時点Ｔ２ｃに移ると、ディスクドライブ装置９が停止され、動作していない状態になる。このとき、例えば、シアン（Ｃ）の残量が少ないことが検出されたものとすると、発光表示ランプ２１がシアン（Ｃ）に点滅される。この発光表示ランプ２１のシアン点滅は、時点Ｔ３ｃにおいて、例えば、再生動作が開始されるまで連続される。この時点Ｔ３ｃにおいて再生動作が開始されると、発光表示ランプ２１が緑に点灯される。この発光表示ランプ２１の緑点灯は、時点Ｔ４ｃの再生動作が終了するまで連続される。
【００３１】
この時点Ｔ４ｃでは、既にシアン（Ｃ）の残量が少ないことが検出されており、これが解消されていないために、発光表示ランプ２１がシアン（Ｃ）で点滅される。この発光表示ランプ２１のシアン点滅は、次の時点Ｔ５ｃにおいて、例えば、印刷のための回転動作が開始されるまで連続される。次に、時点Ｔ５ｃに移って、ディスクドライブ装置９で光ディスク２が印刷時の速度で回転されると、印刷装置による印刷動作が開始される。この時点Ｔ５ｃから発光表示ランプ２１は、白に点灯される。この発光表示ランプ２１の白点灯は、時点Ｔ６ｃの印刷動作が終了するまで連続される。そして、時点Ｔ６ｃにてディスクドライブ装置９が停止されると、さらにシアン（Ｃ）の残量が少ない状態から印刷によってシアン（Ｃ）のインクが減り、シアン（Ｃ）の残量が無い状態になったことが検出される。これにより、発光表示ランプ２１がシアン（Ｃ）に点灯される。この発光表示ランプ２１のシアン点灯は、シアン（Ｃ）の残量が無い状態が解消されるか、または、他の動作表示が行われるまで継続される。
【００３２】
また、図１２Ｄは、図１２Ｃの実施例の動作前と同様の状態から、シアン（Ｃ）が少なくなった状態に追加してマゼンタ（Ｍ）の残量も無くなったときの、光ディスク２への印刷時における記録再生動作と印刷動作とインク残量の残少及び残無表示動作を示している。時点Ｔ１ｄから時点Ｔ２ｄを経て時点Ｔ３ｄまでの動作は、上記図１２Ｃの実施例の場合と同様である。次に、時点Ｔ３ｄにおいて、再び印刷動作が開始されると、発光表示ランプ２１は白に点灯される。そして、印刷が終了して時点Ｔ４ｄに移り、ディスクドライブ装置９が停止されたときに、例えば、シアン（Ｃ）の残量が少ないことと共にマゼンタ（Ｍ）の残量が少ないことが検出されたものとすると、発光表示ランプ２１はシアンとマゼンタに交互に点滅される。この発光表示ランプ２１のシアン・マゼンタ交互点滅は、時点Ｔ５ｄにおいて、例えば、印刷動作が再び開始されるまで連続される。
【００３３】
この時点Ｔ５ｄにおいて、再び印刷動作が開始されると、発光表示ランプ２１は、また白に点灯される。そして、印刷が終了して時点Ｔ６ｄに移り、ディスクドライブ装置９が停止されたときに、例えば、シアン（Ｃ）の残量が少ないこととマゼンタ（Ｍ）の残量が無くなったことが検出されたものとすると、発光表示ランプ２１は、マゼンタによる一定時間の点灯と、シアンとマゼンタの交互点滅とが所定のサイクルで、時点Ｔ７ｄまで繰り返される。なお、この後もこの発光表示ランプ２１の発光状態は、シアン（Ｃ）の残量が少ない状態とマゼンタ（Ｍ）の残量が無い状態が解消されるか、または、他の動作表示が行われるまで継続される。
【００３４】
インク残量通知ボタン２２は、このインク残量通知ボタン２２を押している（スイッチオン）間、発光表示ランプ２１をインク残量表示モードで点滅させるものである。このインク残量通知ボタン２２の役割りは、インク残量の多少を２段階以上に表示して、インク残量がどの程度であるかを細かく表示しようとするものである。前述した実施例の場合には、「インク残量が少ない」状態と「インク残量が無い」状態との２段階表示であって、定量的にインク量が不明であったが、このように３段階以上に設定することにより、インク残量の管理をより細やかなものとすることができる。なお、インク残量通知ボタン２２を押していない間は、前述した動作表示モードによって発光表示ランプ２１が点灯又は点滅動作される。
【００３５】
このインク残量通知ボタン２２を押した場合には、例えば、図１３及び図１４に示すようにしてインクの残量表示を行うようにする。図１３Ａは、シアン（Ｃ）とマゼンタ（Ｍ）とイエロー（Ｙ）の各色がそれぞれ略満杯であるときのインク残量表示を示している。この場合には、例えば、シアン（Ｃ）を０．５秒点灯した後１．５秒消灯させ、次に、マゼンタ（Ｍ）を０．５秒点灯した後１．５秒消灯させ、次いで、イエロー（Ｙ）を０．５秒点灯した後１．５秒消灯させ、これを繰り返す。図１３Ｂは、シアン（Ｃ）とマゼンタ（Ｍ）が略半分（５０％）に減少したが、イエロー（Ｙ）は略満杯であるときのインク残量表示を示している。この場合には、例えば、シアン（Ｃ）を１．０秒点灯した後１．０秒消灯させ、次に、マゼンタ（Ｍ）を１．０秒点灯した後１．０秒消灯させ、次いで、イエロー（Ｙ）を０．５秒点灯した後１．５秒消灯させ、これを繰り返す。
【００３６】
図１３Ｃは、シアン（Ｃ）が略半分（５０％）に減少し、マゼンタ（Ｍ）とイエロー（Ｙ）は約１／４（２５％）に減少したときのインク残量表示を示している。この場合には、例えば、シアン（Ｃ）を１．０秒点灯した後１．０秒消灯させ、次に、マゼンタ（Ｍ）を１．５秒点灯した後０．５秒消灯させ、次いで、イエロー（Ｙ）を１．５秒点灯した後０．５秒消灯させ、これを繰り返す。また、図１３Ｄは、シアン（Ｃ）とマゼンタ（Ｍ）とイエロー（Ｙ）の各色がすべて略無くなったときのインク残量表示を示している。この場合には、例えば、シアン（Ｃ）を２．０秒点灯した後、続いてマゼンタ（Ｍ）を２．０秒点灯した後、続いてイエロー（Ｙ）を２．０秒点灯し、これを繰り返す。
このように、例えば発光表示ランプ２１の点灯時間と消灯時間をインクの残量に関連付けて表示することにより、ユーザーはインクの残量情報をより詳細に知ることができる。
【００３７】
図１４は、インク残量通知ボタン２２の操作と前述した動作表示モードとの関係を図示したものである。図１４において、ディスクドライブ装置９による光ディスク２に対する記録及び再生のいずれもが実行されていない初期状態における時点Ｔ１ｅでは、発光表示ランプ２１は点灯も点滅もせず、消灯した状態にある。このとき、印刷動作も行われておらず、表示モードは動作に関するものである。次に、時点Ｔ２ｅに移って、ディスクドライブ装置９による光ディスク２への記録動作が開始されると、発光表示ランプ２１が緑に点滅される。
【００３８】
次に、時点Ｔ３ｅに移って、ユーザーがインク残量通知ボタン２２を操作（オン）すると、表示モードがインク残量表示に切り換えられる。これにより、発光表示ランプ２１の表示が、インク残量表示となる。このインク残量表示では、例えば、前述した図１３Ａ〜Ｄの表示が実行される。この状態のインク残量表示は、時点Ｔ４ｅにおいて記録動作から再生動作へ切り換えられた場合にも変更されることなく継続される。その後、時点Ｔ５ｅにおいて、ユーザーがインク残量通知ボタン２２を放して操作を中止（オフ）すると、表示モードがインク残量表示モードから動作表示モードに切り換えられる。これにより、発光表示ランプ２１の表示が、再生動作を表す緑点灯となる。
【００３９】
次に、時点Ｔ６ｅに移って、再生動作が終了すると、発光表示ランプ２１の緑点灯が消灯される。次いで、時点Ｔ７ｅに移って、ディスクドライブ装置９による光ディスク２が回転されて印刷用回転になると、印刷動作が開始される。これにより、発光表示ランプ２１の表示動作は、白の点灯になる。この発光表示ランプ２１の白点灯は、時点Ｔ８ｅの印刷動作が終了するまで連続される。そして、時点Ｔ９ｅから光ディスク２の排出動作が開始されると、発光表示ランプ２１の表示動作が赤の点滅となる。この発光表示ランプ２１の赤点滅は、時点Ｔ１０ｅの排出動作が終了するまで連続される。
以上のように、インク残量通知ボタン２２を設けることで本発明による光ディスク装置１の動作や状態をより詳細にユーザーに通知することができる。
【００４０】
光ディスク装置１の装置本体８は、ディスクドライブ装置９と印刷装置１０と制御装置８０（図１０を参照）等を備えて構成されている。ディスクドライブ装置９は、提供される光ディスク２の情報記録部に対して情報信号を書き込んで新たに情報を記録したり、情報記録部に予め記録されている情報を読み出して再生したりするものである。また、印刷装置１０は、提供される光ディスク２のレーベル面やそのレーベル面に貼り付けられているレーベルシート等に、情報記録部に予め記録されている情報や新たに記録された情報等に関連する事項を文字や数字、写真、絵や模様等の可視情報として印刷して表示するものである。更に、制御装置は、これらディスクドライブ装置９及び印刷装置１０、並びに必要によってその他の装置を駆動制御して、ディスクドライブ装置９に所定の記録再生動作及びその他の動作を実行させたり、印刷装置１０に所定の印刷動作及びその他の動作を実行させるものである。
そして、上述の発光表示ランプ２１により、所定の記録再生動作及びその他の動作、または、所定の記録再生動作及びその他の動作、または、装置内部の状態がユーザーに通知されるように構成されている。
【００４１】
図４は、図２に示す光ディスク装置１から印刷装置１０を取り除いた状態を示す斜視図である。この実施例では、筐体３内の下方にディスクドライブ装置９が配置され、筐体３内の上方に印刷装置１０が配置されている。この配置を実現するため、筐体３の内部には、その空間部を上下方向に仕切るシャーシプレート１７が配置されている。図５は、シャーシプレート１７に印刷装置１０を搭載した状態を示す斜視図である。シャーシプレート１７は、ベース板４よりやや小さい長方形の板体からなり、その内部には所定の幅で長手方向に延在された長方形の開口穴１８が表裏面を貫通するように設けられている。このシャーシプレート１７の一方の面である上面に印刷装置１０が搭載され、他方の面である下面との間に所定の隙間をあけてディスクドライブ装置９が配置されている。
【００４２】
ディスクドライブ装置９は、この種の光ディスク装置において一般的に用いられているものと同様の構成であるため、ここでは構成等を簡単に説明する。ディスクドライブ装置９は、光ディスク２が着脱可能に装着されるディスク装着部２０（図３を参照）を有するディスク回転機構と、ディスク装着部２０を昇降動作させて光ディスク２のチャッキング及びその解除動作を行う装着部昇降機構と、光ディスク２に対する情報信号の記録及び再生を行うピックアップ装置の一具体例を示す光学ピックアップ２３と、その光学ピックアップ２３を光ディスク２の半径方向へ移動させるピックアップ移動機構と、これらの機構等を駆動制御するドライブ制御回路等を備えて構成されている。
【００４３】
ディスク回転機構は，例えば、ステッピングモータやＤＣサーボモータが用いられるスピンドルモータと、このスピンドルモータの回転軸に固定されるターンテーブルとから構成されている。このターンテーブルにより、光ディスク２が着脱可能に装着されるディスク装着部２０が構成されている。ターンテーブルが取り付けられたステッピングモータは、ディスクトレイ１２がディスク装着位置に搬送されたときに、ディスク収納部１３の略中央部に位置するように配置されている。このターンテーブルは、光ディスク２の中心穴に着脱可能に嵌合されるディスク嵌合部と、その中心穴の周囲を支持するディスク載置部とを有している。
【００４４】
装着部昇降機構は、ディスク装着位置においてディスク回転機構を昇降動作させることにより、ターンテーブルに光ディスク２を装着したり、その装着を解除するものである。この装着部昇降機構は、例えば、スピンドルモータが搭載されると共に筐体３のベース板４に揺動可能に支持されるモータベースと、このモータベースを揺動させるカム機構と、このカム機構を動作させてスピンドルモータを昇降させる電動モータ等によって構成される。スピンドルモータの上方には、チャッキングプレート２７が配置されている。このチャッキングプレート２７は、スピンドルモータの昇降動作によって持ち上げられた光ディスク２を、ターンテーブルに内蔵された磁石で吸着されて上から押えるものである。このチャッキングプレートとターンテーブルとで光ディスク２を挟持することにより、光ディスク２がターンテーブルから抜け出すこと、及び／又は、ターンテーブル上で滑ることを防止している。
【００４５】
チャッキングプレート２７は、ベース板４の側面部４ａの上端縁に固定されたプレート支持板２８によって回転自在に支持されている。プレート支持板２８は、長方形の板状部材からなり、その長手方向の一側にチャッキングプレート２７が回転自在に支持されている。プレート支持板２８は、その長手方向の他側をベース板４の側面部４ａの上端縁に固定することによって片持ち状に取り付けられている。プレート支持板２８は、補助板２９によって支えられ、撓み難いように支持されている。このプレート支持板２８によって支持されたチャッキングプレート２７の位置が、光ディスク２に対して光学ピックアップ２３による情報信号の記録（書込み）及び再生（読出し）が行われるディスク装着位置となっている。
【００４６】
このディスク装着位置と筐体３外のディスク取出位置との間にディスクトレイ１２が、トレイ搬送機構によって搬送可能とされている。トレイ搬送機構は、この種の光ディスク装置において一般的に用いられているものと同様の構成であるため、ここでは構成等を簡単に説明する。トレイ搬送機構は、例えば、ディスクトレイ１２に設けたラック部と、このラック部に噛合されるピニオンと、このピニオンを回転駆動する電動モータ等によって構成される。電動モータを駆動してピニオンを回転させることにより、その回転力がラック部に伝達される。これにより、電動モータの回転方向に応じてディスクトレイ１２が、ディスク装着位置からディスク取出位置に搬送され、又は、ディスク取出位置からディスク装着位置に搬送される。
【００４７】
このトレイ搬送機構の動作時、ディスクドライブ装置９の光学ピックアップ２３、特に、光ディスク２の情報記録部に臨むことになるピックアップレンズ及びその近傍部分は、ディスクトレイ１２の切欠き部１６内に入り込む。そして、ディスクトレイ１２のディスク収納部１３に載置されている光ディスク２がターンテーブルに装着されて所定量を持ち上げられると、その光ディスク２の下側に光学ピックアップ２３が入り込む。これにより、光学ピックアップ２３による光ディスク２の情報記録部に対する情報信号の書き込み及び読み出しが可能となる。なお、図４に示す符号３０は、トレイ搬送機構を排出動作させるためのイジェクト釦である。
【００４８】
かくして、ディスクトレイ１２がディスク装着位置に搬送された際に、装着部昇降機構によってモータベースを上昇させることにより、スピンドルモータが上方に移動される。このとき、ターンテーブルのディスク嵌合部が光ディスク２の中心穴に嵌合され、光ディスク２がディスク収納部１３から所定距離だけ持ち上げられる。そして、ターンテーブルに内蔵されている磁石によりチャッキングプレートが吸引され、そのチャッキングプレートとターンテーブルとで光ディスク２が挟持される。また、装着部昇降機構を逆方向へ動作させてモータベースを下降させることにより、ターンテーブルのディスク嵌合部が光ディスク２の中心穴から下方へ抜け出す。これにより、光ディスク２がターンテーブルから抜け出してディスク収納部１３に載置される。
【００４９】
光学ピックアップ２３は、例えば、光検出器と、対物レンズと、この対物レンズを光ディスク２の情報記録部に臨ませる二軸アクチュエータ等を有している。光学ピックアップ２３の光検出器は、光ビームを出射する光源となる半導体レーザと、戻りの光ビームを受光する受光素子等から構成されている。この光学ピックアップ２３は、半導体レーザから光ビームを出射し、その光ビームを対物レンズにより集光して光ディスク２の情報記録部に照射すると共に、その情報記録部で反射された戻りの光ビームを光検出器で受光する。これにより、光学ピックアップ２３は、情報記録部に情報信号を記録（書込み）したり、予め情報記録部に記録されている情報信号を再生（読取り）したりすることができる。
【００５０】
この光学ピックアップ２３はスライド部材２６に搭載されていて、そのスライド部材２６と一体に移動される。また、スライド部材２６には、図示しない２本のガイド軸が互いに平行とされて摺動可能に挿通されている。２本のガイド軸は、光ディスク２の情報記録部の前面をなす主面と略平行に配置され、ディスクトレイ１２の移動方向に延在されている。この２本のガイド軸に摺動可能に保持されたスライド部材２６が、ピックアップ移動機構によって光ディスク２の半径方向へ移動可能とされている。
【００５１】
ピックアップ移動機構としては、例えば、送りネジと送りナットの組み合わせからなる送りネジ機構を適用することができる。しかしながら、ピックアップ移動機構は送りネジ機構に限定されるものではなく、例えば、ラック・ピニオン機構、ベルト送り機構、ワイヤ送り機構その他の機構を適用することもできる。このピックアップ移動機構によって移動されるスライド部材２６の移動時に、光ディスク２の情報記録部に対する光学ピックアップ２３による情報信号の記録及び再生作業が実行される。
【００５２】
光ディスク装置１の印刷装置１０は、図２及び図３に示すように、インクタンクが収納された印刷ヘッド３１と、この印刷ヘッド３１を光ディスク２の印刷面に沿って移動させるヘッド移動機構３２と、印刷ヘッド３１と印刷面との間の距離を検出する距離検出部と、この距離検出部の検出素子等をクリーニングするクリーニング機構（図示せず）と、これら印刷ヘッド３１とヘッド移動機構３２と距離検出部とクリーニング機構等の動作を制御する印刷等制御回路（図示せず）等を備えて構成されている。
【００５３】
印刷ヘッド３１は、中空のヘッド筐体を備えており、そのヘッド筐体の内部に、１色（例えば、ブラック）又は２以上の色（例えば、マゼンタとシアンとイエローの３色、或いは、マゼンタとシアンとイエローとブラックの４色等）の収納部を有するインクタンクと、各色をノズルから個別に吐出させるインク吐出機構（図示しない）が収納されている。ヘッド筐体は、直方体の一面の長手方向の略半分に、直方体の膨出部を設けることによって構成されている。この膨出部の略中央部に、インクを吐出するためのインク吐出部３７が設けられている。インク吐出部３７には、多数の微細な直径の孔（直径が数μ〜数十μの数百個の孔）からなるノズルが設けられており、それらのノズルは、使用される色の数と同数の列として配列されている。例えば、マゼンタ、シアン、イエローの３色を用いる印刷ヘッドの場合には、３列のノズルが設けられている。
【００５４】
このような構成を有する印刷ヘッド３１が、ヘッド移動機構３２によって光ディスク２の印刷面に沿って移動可能に構成されている。ヘッド移動機構３２は、印刷ヘッド３１を保持するヘッドホルダ４１と、このヘッドホルダ４１を移動可能に支持するヘッドスライダ４２と、このヘッドスライダ４２を移動可能に支持する２本のヘッドガイド軸４３Ａ，４３Ｂと、この２本のヘッドガイド軸４３Ａ，４３Ｂを固定して支持する２個のガイド軸受４４Ａ，４４Ｂと、印刷ヘッド３１を移動させる送りネジ軸４５及び送りナット４６と、送りネジ軸４５を回転駆動するヘッド送りモータ４７等を備えて構成されている。
【００５５】
ヘッドホルダ４１は、印刷ヘッド３１が嵌合される四角形の枠状をなす部材として構成されている。図９は、ヘッドホルダ４１に印刷ヘッド３１を嵌合して印刷ヘッド組立体５０を構成すると共に、その印刷ヘッド組立体５０を印刷ヘッド３１のインク吐出部３７側から斜めに見た説明図である。印刷ヘッド３１の組立時、インク吐出部３７はヘッドホルダ４１を貫通して、その一面である下面から下方へ突出されている。このヘッドホルダ４１の下面には、コ字状に形成されて下方へ突出された門形をなす取付ブラケット４８が設けられている。
【００５６】
この取付ブラケット４８の下面の略中央部に、距離検出部の一具体例を示す第１の距離検出センサ５１と第２の距離検出センサ５２の２つの距離検出センサ５１，５２が横並びに配置されて固定されている。第１及び第２の距離検出センサ５１，５２は、印刷ヘッド３１のインク吐出部３７の表面と、ディスク装着部２０に装着されて回転される光ディスク２の印刷面との間の距離を検出するものである。第１及び第２の距離検出センサ５１，５２としては、インク吐出部３７と光ディスク２の印刷面との間の距離を検出することができるものであればどのようなものでもよいが、例えば、反射型フォトインタラプタが好適である。
【００５７】
フォトインタラプタは、発光ダイオード（ＬＥＤ）とフォトダイオードがセットになった光センサであり、主に赤外線が使用されている。フォトインタラプタには、反射型と透過型があり、本発明には反射型を用いることができる。反射型フォトインタラプタは、ＬＥＤから光を出し、反射光等をフォトダイオードで検出して対象物の光の反射率を調べることにより、対象物との間の距離を精度よく検出することができる。この反射型フォトインタラプタの具体例としては、例えば、コーデンシ株式会社の反射型フォトインタラプタＳＧ−１０５を上げることができる。反射型フォトインタラプタＳＧ−１０５は、発光素子と受光素子が同一面に配置されており、検出物体の反射光によって物体までの距離を検出することができる。
【００５８】
２つの距離検出センサ５１，５２は、印刷ヘッド３１のインク吐出部３７に対する光ディスク２の半径方向内側であって、その光ディスク２の回転方向上流側に横並びに配置されている。この２つの距離検出センサ５１，５２を光ディスク２の回転方向上流側に配置する理由は、インク吐出部３７から吐出されるインクの一部がミストとなって空中を浮遊するため、そのミストが距離検出センサの検出部に付着し難いようにするためである。この実施例では、２つの距離検出センサ５１，５２は、インク吐出部３７の略中央部の延長線上であって、光ディスク２の回転中心側に配置されている。
【００５９】
なお、光ディスク２の印刷面は、その光ディスク２の一面をなすレーベル面２ａである。また、光ディスク２のレーベル面２ａにレーベルシート５３が貼り付けられている場合には、その貼付されているレーベルシート５３の表面５３ａが印刷面となる。印刷ヘッド３１が組み合わされたヘッドホルダ４１は、ヘッドスライダ４２によって相対的に移動可能に支持されている。
【００６０】
図６は、ヘッドホルダ４１とこれを支持するヘッドスライダ４２を図示した説明図である。また、図７は、印刷ヘッド３１と光ディスク２と光学ピックアップ２３の高さ方向における位置関係を説明する説明図である。図６及び図７に示すように、ヘッドスライダ４２の下方に、所定の隙間をあけて光ディスク２が臨むように構成されている。このとき光ディスク２は、シャーシプレート１７の反対側に配置されたディスクドライブ装置９のディスク回転機構のターンテーブル（図示せず。）に装着されており、そのターンテーブルに対して光学ピックアップ２３が、光ディスク２の主面である面方向と垂直をなす方向へ接近及び離反可能とされている。
【００６１】
ヘッドスライダ４２は、印刷ヘッド３１の長手方向となる前後方向に所定の間隔をあけて配置された前側部材４２Ａ及び後側部材４２Ｂと、左右方向に所定の間隔をあけて配置されると共に前側部材４２Ａと後側部材４２Ｂを連結する左右の連結部材５４Ａ，５４Ｂとから構成されている。前側部材４２Ａ及び後側部材４２Ｂは、それぞれ長手方向と交差する左右方向に所定の間隔をあけて上方に立ち上げられている。そして、一方の立上げ側の先端には、側方に突出する第１の軸受部５５ａ，５５ａが設けられ、他方の立上げ側の先端には、反対側の側方に突出する第２の軸受部５５ｂ，５５ｂが設けられている。
【００６２】
第１の軸受部５５ａ，５５ａには、それぞれ第１の軸受穴５６ａ，５６ａが設けられており、２つの第１の軸受穴５６ａ，５６ａは同一軸心線上に設定されている。同様に、第２の軸受部５５ｂ，５５ｂには、それぞれ第２の軸受穴５６ｂ，５６ｂが設けられており、２つの第２の軸受穴５６ｂ，５６ｂも同一軸心線上に設定されている。そして、第１の軸受穴５６ａ及び第２の軸受穴５６ｂには、それぞれ軸受部材５８が装着されて圧入等の固定手段により固定されている。これらの軸受部材５８には、２本のガイド軸４３Ａ，４３Ｂが摺動自在に挿通されている。
【００６３】
図８は、印刷ヘッド３１がヘッドホルダ４１によって保持されている状態と、そのヘッドホルダ４１が３本のガイドピン５９ａ，５９ｂを介してヘッドスライダ４２に対して相対的に移動可能に支持されている状態を説明する説明図である。ヘッドホルダ４１の一方の長辺部には第１の支持板６１Ａが取り付けられ、他方の長辺部には第２の支持板６１Ｂが取り付けられている。２つの支持板６１Ａ，６１Ｂは、それぞれ上面部６２ａと側面部６２ｂを有しており、両面部の端部を連続させることによって断面形状がＬ字状をなす部材として形成されている。
【００６４】
２つの支持板６１Ａ，６１Ｂは、それぞれの側面部６２ｂをヘッドホルダ４１の長辺部に固定することによってヘッドホルダ４１と一体的に構成されている。これにより、第１の支持板６１Ａの上面部６２ａが、印刷ヘッド３１の幅方向の一側において前後方向に所定の間隔をあけて配置された第１の軸受部５５ａ，５５ａの上方に対向されている。そして、第２の支持板６１Ｂの上面部６２ａが、印刷ヘッド３１の幅方向の他側において前後方向に所定の間隔をあけて配置された第２の軸受部５５ｂ，５５ｂの上方に対向されている。
【００６５】
第１の支持板６１Ａの上面部６２ａの長手方向の両端には、その側面部６２ｂと略平行をなす方向である下方に延在されたガイドピン５９ａ，５９ａが設けられている。２本のガイドピン５９ａ，５９ａは、２つの軸受部５５ａ，５５ａの上面に開口するように設けたガイド孔６４ａ，６４ａにそれぞれ摺動可能に挿入されている。また、第２の支持板６１Ｂの上面部６２ａの長手方向の中間部には、その側面部６２ｂと略平行をなす方向である下方に延在された１本のガイドピン５９ｂが設けられている。ガイドピン５９ｂは、連結部材５４Ｂの上面に開口するように設けたガイド孔６４ｂに摺動可能に挿入されている。これらのガイドピン５９ａ，５９ａ，５９ｂ及びガイド孔６４ａ，６４ａ，６４ｂは、ヘッドホルダ４１の動きを規制して、ヘッドスライダ４２に対してヘッドホルダ４１を略平行移動させる機能を果たす第１のガイド機構を構成している。
【００６６】
更に、ヘッドスライダ４２に対するヘッドホルダ４１の平行移動の動作機能を高めるため、この実施例では、２つの長穴６５ａ，６５ａと、その長穴６５ａに摺動可能に係合される２つの突起６５ｂ，６５ｂとからなる第２のガイド機構６５が設けられている。２つの長穴６５ａ，６５ａは、第１の支持板６１Ａの側面部６２ｂにおいて、横方向へ所定の間隔をあけて配置されていると共に上下方向へ延在するように形成されている。これに対応するように、２つの突起６５ｂ，６５ｂは、第１の連結部材５４Ａの内面において、所定の間隔をあけて内側へ突出するように設けられている。
【００６７】
このように、ヘッドスライダ４２に対してヘッドホルダ４１を略平行に移動させるために２種類のガイド機構を設けた理由は、ヘッドホルダ４１を動作させるための動力源である電動モータを印刷ヘッド３１の水平方向の一側に配置しなければならない構造となっていたことによるものである。即ち、ヘッドスライダ４２に対してヘッドホルダ４１を相対的に移動させるためのステッピングモータ等からなる調整モータ６６が、ヘッドホルダ４１の幅方向の一側に配置されている。
【００６８】
調整モータ６６は、ヘッドスライダ４２側に固定される固定部６６ａと、この固定部６６ａに回転自在に保持された送りナットを有する回転部６６ｂと、その回転部６６ｂを貫通するネジ軸６７とを有している。調整モータ６６の固定部６６ａは、第１の連結部材５４Ａに設けた棚板６８上に搭載されて一体的に固定されている。また、ネジ軸６７は、第１の支持板６１Ａの下面に一端を固定することによってヘッドホルダ４１に取り付けられている。このネジ軸６７は、調整モータ６６の中心部を上下方向へ貫通して棚板６８の下方に突出されている。
【００６９】
上述した調整モータ６６と、ネジ軸６７とにより、印刷面に対して印刷ヘッド３１を接近又は離反させるように移動させて距離Ｓを調整する距離調整部６０が構成されている。かくして、調整モータ６６を駆動すると、その回転部６６ｂの回転に基づく送りナットの回転により、その回転方向に応じてネジ軸６７が、その軸方向へ移動する。このネジ軸６７の移動により、第１の支持板６１Ａを介して固定されているヘッドホルダ４１と共に印刷ヘッド３１が、ヘッドスライダ４２の移動方向（前後方向）と垂直をなす方向（光ディスク２の主面と垂直方向）へ相対的に移動される。
【００７０】
このとき、調整モータ６６は印刷ヘッド３１の一側に配置されており、ネジ軸６７の軸心線は印刷ヘッド３１の中心部から離れた位置にある。そのため、軸心線方向へ移動可能とされているネジ軸６７の移動力によって印刷ヘッド３１には回転モーメントが生じ、前記垂直をなす方向と直交する方向に向かう分力が印刷ヘッド３１に作用することになる。この直交方向の分力は、印刷ヘッド３１の垂直方向へのスムースな移動を妨げる抵抗力として作用する。
【００７１】
これに対して、この実施例では、ヘッドホルダ４１に２つの支持板６１Ａ、６１Ｂを固定すると共に、各支持板６１Ａ，６１Ｂにガイドピン５９ａ，５９ｂを設け、それらのガイドピン５９ａ，５９ｂを、ヘッドスライダ４２の前側部材４２Ａ及び後側部材４２Ｂに設けたガイド孔６４ａ，６４ａ並びに第２の支持板６１Ｂに設けたガイド孔６４ｂに摺動可能に係合している。しかも、３つのガイドピン５９ａ，５９ａ，５９ｂは、三角形を形成するようにバランス良く配置されているため、３つのガイドピン５９ａ，５９ａ，５９ｂを同じような状態で摺動させることができる。その結果、ヘッドホルダ４１を、略水平状態を維持して前記垂直をなす方向へスムースに平行移動させることができる。
【００７２】
更に、第１の支持板６１Ａの側面部６２ｂに２つの長穴６５ａ，６５ａを設け、これらに摺動可能に係合される２つの突起６５ｂ，６５ｂを第１の連結部材５４Ａに設けている。そのため、ヘッドホルダ４１の水平状態を更に精度よく維持することができ、そのヘッドホルダ４１を前記垂直をなす方向へ確実且つスムースに移動させることができる。
【００７３】
このような構成を有する距離調整部６０を備えた印刷ヘッド３１が、２本のヘッドガイド軸４３Ａ，４３Ｂによって移動可能に支持されている。図５に示すように、第１のヘッドガイド軸４３Ａは、ヘッドスライダ４２の一側に設けた第１の軸受部５５ａ，５５ａの２つの軸受穴５６ａ，５６ａの各軸受部材５８に摺動自在に挿通されている。そして、第２のガイド軸４３Ｂが、ヘッドスライダ４２の他側に設けた第２の軸受部５５ｂ，５５ｂの２つの軸受穴５６ｂ，５６ｂの各軸受部材５８に摺動自在に挿通されている。
【００７４】
２本のガイド軸４３Ａ，４３Ｂは、シャーシプレート１７に設けた開口穴１８の長手方向に延在されていると共に、所定の間隔を保持して互いに平行に配置されている。そして、２本のガイド軸４３Ａ，４３Ｂは、２個のガイド軸受４４Ａ，４４Ｂにより固定されて両端支持されている。２個のガイド軸受４４Ａ，４４Ｂは、開口穴１８の長手方向の両端部に配置されており、固定ネジによってシャーシプレート１７にそれぞれ固定されている。
【００７５】
一方のガイド軸４３Ｂの外側には、送りネジ軸４５が所定の間隔をあけて配置されている。送りネジ軸４５は、２本のガイド軸４３Ａ，４３Ｂと平行に設定されており、その軸方向の一端に取り付けたジョイント７１によってヘッド送りモータ４７の回転軸と連結されている。ヘッド送りモータ４７はモータブラケット７２に固定されていて、そのモータブラケット７２は、固定ネジ等の固定手段によってシャーシプレート１７に固定されている。送りネジ軸４５には送りナット４６が螺合されており、その送りナット４６にはナット取付板７３が固定されている。ナット取付板７３は、固定ネジによってヘッドスライダ４２に固定されている。
【００７６】
かくして、ヘッド送りモータ４７を駆動すると、その回転軸の回転力がジョイント７１を介して送りネジ軸４５に伝達され、更に、送りナット４６に伝達される。このとき、送りナット４６はナット取付板７３を介してヘッドスライダ４２に固定されているため回転することはないが、ヘッドスライダ４２は２本のヘッドガイド軸４３Ａ，４３Ｂにガイドされてその軸方向へ移動可能とされている。そのため、送りナット４６は、送りネジ軸４５の回転方向に応じて、ヘッド送りモータ４７に近づく方向か又はヘッド送りモータ４７から遠ざかる方向へ選択的に移動する。これにより、ヘッドスライダ４２が送りナット４６と一体的に移動し、その結果、印刷ヘッド３１が、送りネジ軸４５の軸方向と同方向となっている前後方向に移動される。
【００７７】
印刷ヘッド３１の前後方向への移動は、２つの位置検出センサ７４，７５によって検出可能とされている。第１の位置検出センサ７４は、印刷ヘッド３１のインク吐出部３７が光ディスク２の半径方向内側へ移動し、中心部に最も近い部分を所定距離だけ通過したディスク内側停止位置を検出するものである。また、第２の位置検出センサ７５は、印刷ヘッド３１のインク吐出部３７が光ディスク２の半径方向外側へ移動し、中心部から最も遠く離れたディスク外側停止位置を検出するものである。
【００７８】
これらの位置を検出するため、位置検出片７６がナット取付板７３に取り付けられている。この位置検出片７６を第１の位置検出センサ７４で検出することによってディスク内側停止位置が検出され、その位置に印刷ヘッド３１が停止される。同様に、位置検出片７６を第２の位置検出センサ７５で検出することによってディスク外側停止位置が検出され、その位置に印刷ヘッド３１が停止される。
【００７９】
図３には、印刷装置１０が、シャーシプレート１７を取り除いた状態で筐体３内に収納されていて、ディスクトレイ１２等と重ね合わされている状態が表されている。この光ディスク装置１では、印刷装置１０の印刷ヘッド３１の略中心にあるインク吐出部３７を通るヘッド中心線Ｌｂは、ディスクドライブ装置９の中心部となっているディスク装着部（ターンテーブル）２０の回転中心Ｏｃを通る本体中心線Ｌａから距離Ｅだけ偏心した位置に設定されている。そのため、印刷ヘッド３１は光ディスク２の印刷面に対して、回転中心Ｏｃから距離Ｅだけ偏心したヘッド中心線Ｌｂの軌跡上を移動して印刷作業を実行する。
【００８０】
また、ヘッド中心線Ｌｂ上において、筐体３の奥側には、印刷ヘッド３１のインク吐出部３７に装着されるヘッドキャップ７７と、インク溜め７８が配置されている。ヘッドキャップ７７は、インク吐出部３７のノズルの乾燥を防ぎ、インクが乾いてノズルに詰まるのを防止するものである。また、インク溜め７８は、インク吐出部３７のノズルに空気が入らないように空うちして、インクが出ないといった印刷エラーを防止するものである。図２８は、光ディスク２の方向性を定義する説明図である。即ち、光ディスク２の半径方向Ｙがラジアル方向であり、これに直交する接線方向Ｘがタンジェンシャル方向を示している。
【００８１】
図１０は、光ディスク装置１における信号の流れを示したブロック図である。光ディスク装置１の制御装置８０は、中央制御部８１と、インターフェース部８２と、ドライブ制御部８３と、トレイ駆動回路８４と、記録制御回路８５と、信号処理部８６と、プリント画像生成部８７と、プリント制御部８８と、距離センサ駆動回路９０と、プリント機構部駆動回路９１と、インク吐出駆動回路９２と、インク残量検出回路９３等を備えて構成されている。
【００８２】
中央制御部８１は、ドライブ制御部８３とプリント画像生成部８７とプリント制御部８８の制御をする部分である。この中央制御部８１は、インターフェース部８２から供給された記録データ信号をドライブ制御部８３へ出力する。また、中央制御部８１は、インターフェース部８２から供給される画像データ信号や、ドライブ制御部８３から供給される位置データ信号を、プリント画像生成部８７及びプリント制御部８８に出力する。
【００８３】
インターフェース部８２は、パーソナルコンピュータやＤＶＤレコーダ等の外部装置と光ディスク装置１とを電気的に接続する接続部である。このインターフェース部８２は、外部装置から供給された信号を中央制御部８１に出力する。この中央制御部８１に供給される信号は、外部装置に記憶された外部記憶情報に対応する信号であり、例えば、光ディスク２の情報記録部に記録する記録情報に対応した記録データ信号や、光ディスク２の印刷面（光ディスク２の表面又はレーベルシートの表面）に印刷する可視情報に対応した画像データ信号等を挙げることができる。更に、インターフェース部８２は、光ディスク装置１が光ディスク２の情報記録部から読み出した再生データ信号を外部装置に出力する。このような外部装置との電気的な接続の仕様例としては、ＡＴＡ規格（AT Attachment）やＳｅｒｉａｌ ＡＴＡ規格（ＳＡＴＡ）やＳＣＳＩ規格（Small Computer System Interface）やＵＳＢ規格（Universal Serial Bus）等を例示することができる。
【００８４】
ドライブ制御部８３は、ディスク回転機構のスピンドルモータ２１の回転を制御したり、トレイ駆動回路８４や記録制御回路８５の動作を制御する。即ち、ドライブ制御部８３は、中央制御部８１から供給される制御信号に基づいて制御信号を出力し、スピンドルモータ２１を駆動させる。これにより、スピンドルモータ２１のターンテーブル２０に装着された光ディスク２が、例えば、線速度を一定として回転駆動される。更に、ドライブ制御部８３は、トレイ駆動回路８４と記録制御回路８５の動作を制御するため、これらに制御信号を出力する。また、ドライブ制御部８３は、信号処理部８６から供給される位置データ信号を中央制御部８１に出力する。
【００８５】
トレイ駆動回路８４は、トレイ搬送機構の駆動モータ（図示しない）の回転を制御する。このトレイ駆動回路８４から出力される制御信号に基づいてトレイ用の駆動モータが駆動される。これにより、ディスクトレイ１２が、筐体３内のディスク装着位置と筐体３外のディスク取出位置との間を搬送される。また、記録制御回路８５は、光学ピックアップ２３による記録データ信号の記録や再生データ信号の再生等を制御する。
【００８６】
光学ピックアップ２３は、レーザ光源２３ａと受光素子２３ｂを有しており、レーザ光源２３ａから発射されてピックアップレンズから照射される光ビームが、光ディスク２の情報記録部で反射されて受光素子２３ｂに受光される。この光ビームを情報記録部に設けたトラックに追跡させてトラックサーボ及びフォーカスサーボを実行させるための制御信号を、記録制御回路８５が光学ピックアップ２３に出力する。この記録制御回路８５から供給される制御信号に基づいてピックアップ用の駆動モータが駆動される。これにより、光学ピックアップ２３が、スライド部材と一体に光ディスク２の半径方向へ移動される。
【００８７】
信号処理部８６は、光学ピックアップ２３から供給されるＲＦ（Radio Frequency）信号の復調及び誤り検出等を行い、再生データ信号を生成する。また、信号処理部８６は、ＲＦ信号に基づいて同期信号等の特定パターンを有する信号や光ディスク２の位置データを表す信号として位置データ信号を検出する。この位置データ信号としては、例えば、光ディスク２の回転角を示す回転角信号や、光ディスク２の回転位置を示す回転位置信号を挙げることができる。これら再生データ信号及び位置データ信号は、ドライブ制御部８３に出力される。
【００８８】
プリント画像生成部８７は、中央制御部８１から供給される制御信号に基づいてプリント画像を生成する。また、プリント制御部８８は、中央制御部８１から供給される制御信号に基づいて印刷装置１０の印刷ヘッド３１と、この印刷ヘッド３１を動作させるヘッド駆動機構と、印刷ヘッドと印刷面との間の距離を検出する距離検出部と、印刷ヘッド３１及び距離検出部をクリーニングする後述するクリーニング機構等の制御を行う。
【００８９】
このプリント制御部８８は、プリント画像生成部８７で生成されて中央制御部８１から供給された画像データ信号により得られた画像データに基づいてインク吐出データを生成する。そして、プリント制御部８８は、生成したインク吐出データと、中央制御部８１から供給される位置データ信号に基づいて印刷装置１０を制御する制御信号を生成し、プリント機構部駆動回路９１と、インク吐出駆動回路９２とに制御信号を出力する。このプリント制御部８８によるプリント機構部駆動回路９１及びインク吐出駆動回路９２の制御により、印刷ヘッド３１の制御を介して光ディスク２の印刷面に所望の可視情報が印刷される。
【００９０】
アクセスランプ兼インク残量表示部８９は、前述した発光表示ランプ２１によって構成されている。このアクセスランプ兼インク残量表示部８９には、中央制御部８１からの制御信号と、ドライブ制御部８３からの制御信号と、プリント制御部８８からの制御信号とが供給される。そして、これらの制御信号によって発光表示ランプ２１が、上述したように所定の色によって点灯又は点滅するように制御される。
【００９１】
プリント機構部駆動回路９１は、プリント制御部８８から供給される制御信号に基づいてヘッド送りモータ４７と、ヘッドキャップ７７と、吸引ポンプ９４と、ブレード９５とを駆動させる。このとき、ヘッド送りモータ４７が駆動されることにより、印刷ヘッド３１が光ディスク２の半径方向内側から外側へ移動される。印刷ヘッド３１の移動方向は、この実施例とは逆に、光ディスク２の半径方向外側から内側へ移動されるようにしてもよい。
【００９２】
インク吐出駆動回路９２は、プリント制御部８８から供給された制御信号に基づいて印刷ヘッド３１を駆動させる。これにより、印刷ヘッド３１のインク吐出部３７における各吐出ノズルからインク滴が吐出され、回転駆動された光ディスク２の印刷面にインク滴が付着される。印刷ヘッド３１には、例えば、Ｃ（シアン），Ｙ（イエロー），Ｍ（マゼンタ）の３色が収納されている。この３種類のインクの組み合わせにより、Ｒ（赤），Ｇ（緑），Ｂ（青）の各色の明るさを表す階調値で表現された画像データからなる可視情報として表示される。
【００９３】
インク吐出駆動回路９２は、印刷ヘッド３１に収納されているインクの残量を検出し、その残量の多少を表示手段によって表示する。このインク残量の検出は使用されているインク毎に行われるが、インクの使用量は印刷条件によって異なるため、通常は、いずれかのインクの残量が所定量以下に減少することによって、インク残量が少ない旨の表示が行われる。
【００９４】
一般に、印刷装置１０の印刷ヘッド３１から吐出されるインク滴の全てが印刷面に着弾されるものではなく、着弾しなかったインク滴はミストとなって装置内に浮遊し、内部の機構や機器等を汚染する。このミストを少なくするためには、印刷ヘッド３１と印刷面との距離を小さくすることが好ましいが、光ディスク２には面ぶれもあるため、その距離をあまり小さくし（近づけ）すぎると、印刷ヘッド３１と印刷面が衝突するおそれがある。また、光ディスク２には、厚さ等について規格があるため、通常は、所定以上の厚さのものが使用されることはない。
【００９５】
図１５は、アクセスランプ兼インク残量表示部８９によるインク残量表示の制御の第１の実施例を示すフローチャートである。この実施例は、前述したインク残量通知ボタン２２の無い実施例を示している。まず、電源を投入することによって処理が開始されると、ステップＳ１において、アクセスランプ兼インク残量表示部８９に、ディスクドライブ装置９における記録再生の動作モードを検知する信号がドライブ制御部８３から供給される。次に、ステップＳ２に移行して、印刷装置１０の印刷動作と、インクタンク内の各インクの量がそれぞれどのような状態にあるかを検知する信号がプリント制御部８８から供給される。
【００９６】
次に、ステップＳ３に移行して、ステップＳ１およびステップＳ２において検知された光ディスク装置１の動作や状態の中から表示すべき動作や状態があるか否かを判定する。このステップＳ３において、表示すべき動作や状態が無いと判定されたとき、即ち、ディスクドライブ装置９による光ディスク２に対する記録又は再生動作や、光ディスク２の挿入又は排出動作が無く、印刷装置１０による印刷動作も無い場合には、これで処理を終了する。そして、ステップＳ１〜ステップＳ３の処理を、電源が切断されるまで繰り返す。一方、ステップＳ３において、表示すべき動作や状態があると判定されたときには、ステップＳ４に移行する。
【００９７】
ステップＳ４では、光ディスク２への記録再生動作表示であるか否かを判定する。このステップＳ４において、光ディスク２への記録再生動作表示であると判定されたときには、ステップＳ５に移行して、発光表示ランプ２１で光ディスク２の記録再生動作の表示を実行する。この記録再生動作の表示処理は、例えば、図１６に示すような処理によって実行される。
【００９８】
図１６において、まず、ステップＳ５１において、光ディスク２がディスクドライブ装置９に挿入動作されてディスク装着部に装着されるときの動作表示であるか否かを判定する。このステップＳ５１において、光ディスク２が挿入動作される動作表示であると判定されたときには、ステップＳ５２に移行して、発光表示ランプ２１を赤で点灯させるための制御信号を出力し、発光表示ランプ２１を赤点灯させる。そして、これで処理を終了して、ステップＳ１に戻り、ステップＳ１〜ステップＳ１１の処理を繰り返す。そして、電源が切断されたときに、最終処理を終了する。一方、ステップＳ５１において、光ディスク２が挿入される動作表示ではないと判定されたときには、ステップＳ５３に移行する。
【００９９】
ステップＳ５３では、光ディスク２がディスク装着部から外されてディスクドライブ装置９から排出されるときの動作表示であるか否かを判定する。このステップＳ５３において、光ディスク２が排出動作される動作表示であると判定されたときには、ステップＳ５４に移行して、発光表示ランプ２１を赤で点滅させるための制御信号を出力し、発光表示ランプ２１を赤点滅させる。そして、これで処理を終了して、ステップＳ１に戻り、ステップＳ１〜ステップＳ１１の処理を繰り返す。そして、電源が切断されたときに、最終処理を終了する。一方、ステップＳ５３において、光ディスク２が排出される動作表示ではないと判定されたときには、ステップＳ５５に移行する。
【０１００】
ステップＳ５５では、ディスクドライブ装置９による光ディスク２への記録動作表示であるか否かを判定する。このステップＳ５５において、光ディスク２への記録動作に対する動作表示であると判定されたときには、ステップＳ５６に移行して、発光表示ランプ２１を緑で点滅させるための制御信号を出力し、発光表示ランプ２１を緑点滅させる。そして、これで処理を終了して、ステップＳ１に戻り、ステップＳ１〜ステップＳ１１の処理を繰り返す。そして、電源が切断されたときに、最終処理を終了する。一方、ステップＳ５５において、光ディスク２への記録動作に対する動作表示ではないと判定されたときには、ステップＳ５７に移行する。
【０１０１】
ステップＳ５７では、ディスクドライブ装置９による光ディスク２への再生動作表示であるか否かを判定する。このステップＳ５７において、光ディスク２への再生動作に対する動作表示であると判定されたときには、ステップＳ５８に移行して、発光表示ランプ２１を緑で点灯させるための制御信号を出力し、発光表示ランプ２１を緑点灯させる。そして、これで処理を終了して、ステップＳ１に戻り、電源が切断されているときには最終処理を終了する。一方、ステップＳ５７において、光ディスク２への再生動作に対する動作表示ではないと判定されたときには、これで処理を終了して、ステップＳ１に戻り、ステップＳ１〜ステップＳ１１の処理を繰り返す。そして、電源が切断されたときに、最終処理を終了する。
【０１０２】
次に、図１５に戻って、ステップＳ４において、光ディスク２への記録再生動作表示ではないと判定されたときには、ステップＳ６に移行する。ステップＳ６では、印刷できない状態を示す状態表示であるか否かを判定する。すなわち、インクタンクのインクが無いなどの理由により印刷装置１０において正常な印刷ができない状態であるか否かを判定する。このステップＳ６において、印刷できない状態を示す状態表示であると判定されたときには、ステップＳ７に移行して、発光表示ランプ２１で光ディスク２への印刷ができない状態を表す表示を実行する。この印刷ができない状態を表す表示処理は、例えば、図１７に示すような処理によって実行される。
【０１０３】
図１７において、まず、ステップＳ７１において、インクタンクのインク無しの状態の状態表示であるか否かを判定する。このステップＳ７１において、インク無し状態の状態表示であると判定されたときには、ステップＳ７２に移行して、無いインク色に応じた点灯表示を発光表示ランプ２１で行う。例えば、シアン（Ｃ）の１色だけが無い場合には、発光表示ランプ２１でシアンの色だけを連続して点灯させる。また、例えば、シアン（Ｃ）とマゼンタ（Ｍ）とイエロー（Ｙ）の３色のすべてが無い場合には、シアンとマゼンタとイエローの３色すべての色を発光表示ランプ２１により、互いに等しい所定間隔で点灯させ、これを繰り返す。これで処理を終了して、ステップＳ１に戻り、ステップＳ１〜ステップＳ１１の処理を繰り返す。そして、電源が切断されたときに、最終処理を終了する。一方、ステップＳ７１において、インク無し状態の状態表示ではないと判定されたときには、ステップＳ７３に移行する。
【０１０４】
ステップＳ７３では、インクが未装着の状態の状態表示であるか否か、即ち、インクタンクを有する印刷ヘッド３１が印刷装置１０に装着されているか否かを判定する。このステップＳ７３において、インクタンク（印刷ヘッド）が未装着のときの状態表示であると判定されたときには、ステップＳ７４に移行して、インクタンクに収納されているすべてのインクの色（この実施例では３色）に白の色を加えて、それぞれ所定の間隔で順次点灯させるための制御信号を出力し、４色が所定の間隔で連続して点灯される発光表示を発光表示ランプ２１によって行う。そして、これで処理を終了して、ステップＳ１に戻り、ステップＳ１〜ステップＳ１１の処理を繰り返す。そして、電源が切断されたときに、最終処理を終了する。一方、ステップＳ７３において、インクタンク（印刷ヘッド）が未装着のときの状態表示ではないと判定されたときには、これで処理を終了して、ステップＳ１に戻り、ステップＳ１〜ステップＳ１１の処理を繰り返す。そして、電源が切断されたときに、最終処理を終了する。
【０１０５】
次に、図１５に戻って、ステップＳ６において、印刷できない状態を示す状態表示ではないと判定されたときには、ステップＳ８に移行する。ステップＳ８では、光ディスク２への印刷動作の動作表示であるか否かを判定する。このステップＳ８による判定は、クリーニング動作なのか、印刷動作なのか、又はそうではないのかを判定するものである。このステップＳ８において、光ディスク２への印刷動作の動作表示であると判定されたときには、ステップＳ９に移行して、発光表示ランプ２１で光ディスク２への印刷動作状態を表す表示を実行する。この光ディスク２への印刷動作を表す表示処理は、例えば、図１８に示すような処理によって実行される。
【０１０６】
図１８において、まず、ステップＳ９１において、クリーニング動作の動作表示であるか否かを判定する。このステップＳ９１において、クリーニング動作の動作表示であると判定されたときには、ステップＳ９２に移行して、発光表示ランプ２１で白（これは、赤と青と緑の３色を同時に発光させて生成する。）の点滅制御を行う。これで処理を終了して、ステップＳ１に戻り、ステップＳ１〜ステップＳ１１の処理を繰り返す。そして、電源が切断されたときに、最終処理を終了する。一方、ステップＳ９１において、クリーニング動作の動作表示ではないと判定されたときには、ステップＳ９３に移行する。
【０１０７】
このステップＳ９３では、印刷装置１０による印刷動作の動作表示であるか否かを判定する。このステップＳ９３において、印刷動作の動作表示であると判定されたときには、ステップＳ９４に移行して、発光表示ランプ２１で白の点灯制御を行う。これで処理を終了して、ステップＳ１に戻り、電源が切断されているときには最終処理を終了する。一方、ステップＳ９３において、印刷動作の動作表示ではないと判定されたときには、これで処理を終了して、ステップＳ１に戻り、ステップＳ１〜ステップＳ１１の処理を繰り返す。そして、電源が切断されたときに、最終処理を終了する。
【０１０８】
再び図１５に戻って、ステップＳ８において、光ディスク２への印刷動作の動作表示ではないと判定されたときには、ステップＳ１０に移行する。このステップＳ１０では、印刷できる状態を示す状態表示であるか否かを判定する。このステップＳ１０の判定は、インクタンク内に収納されているインクの量が、どの程度であるかどうかを判定するものである。すなわち、これはインクタンクのインクの量が少ないなどの理由により、現時点では印刷装置１０において正常な印刷を行うことができるが、さらに本装置の使用を続けることによりインクなどの消耗品が無くなり、今後正常な印刷を行うことができなくなる可能性がある状態であることを判定する。このステップＳ１０において、印刷できる状態を示す状態表示であると判定されたときには、ステップＳ１１に移行して、発光表示ランプ２１で光ディスク２への印刷ができる状態を表す表示を実行する。この光ディスク２への印刷ができる状態を表す表示処理は、例えば、図１９に示すような処理によって実行される。
【０１０９】
図１９において、まず、ステップＳ１１１において、インク残量を表す状態表示であるか否かを判定する。このステップＳ１１１において、インク残量を表す状態表示であると判定されたときには、ステップＳ１１２に移行して、発光表示ランプ２１で各インク色の残量に応じた点滅制御を行う。例えば、マゼンタ（Ｍ）の１色だけが少ない場合には、発光表示ランプ２１でマゼンタの色だけを連続して点滅させる。また、例えば、シアン（Ｃ）とマゼンタ（Ｍ）とイエロー（Ｙ）の３色すべてが少ない場合には、シアンとマゼンタとイエローの３色すべての色を発光表示ランプ２１により、交互に点滅させる。これで処理を終了して、ステップＳ１に戻り、ステップＳ１〜ステップＳ１１の処理を繰り返す。そして、電源が切断されたときに、最終処理を終了する。
【０１１０】
一方、ステップＳ１１１において、インク残量を表す状態表示ではないと判定されたときには、これで処理を終了する。そして、ステップＳ１に戻り、電源が切断されるまで、ステップＳ１〜ステップＳ１１の処理を繰り返す。
また、図１５に戻って、ステップＳ１０において、印刷できる状態を示す状態表示ではないと判定されたときには、ステップＳ１に戻り、電源が切断されるまで、ステップＳ１〜ステップＳ１１の処理を繰り返す。
【０１１１】
次に、図１５〜図１９に示したアルゴリズムに基づいて、ユーザーが操作した場合の一連の流れについて説明する。図２０〜図２４は、インク残量通知ボタン２２の無い場合の一実施例を示すものである。ここでは、ユーザーが４枚の光ディスク２を使用して、情報記録部にコンテンツを記録すると共に、レーベル面に印刷を行う場合を説明する。この実施例では、通常の操作では起きないが、その４枚の間で、インクの残量が少ない状態となり、次に、インクが無くなった状態までを想定して、それらの状態が遷移する様子を示している。
【０１１２】
まず、１枚目の光ディスクに対して記録と印刷を行うために、ユーザーが操作する場合について考える。この操作の開始時点では、３色のインクは、すべて十分な量があるものとする。図２０において、まず、時点ｔ１で、ユーザーがディスクドライブ装置９に１枚目の光ディスク２を挿入すると、記録再生動作に関して挿入動作が行われ、同時に、表示動作として発光表示ランプ２１が赤点灯される。このとき、印刷動作は行われず、印刷ヘッド３１のインクの状態においても変化は生じていない。次に、時点ｔ２に移って、挿入動作が終了し、続いて、読取り動作が開始されると、発光表示ランプ２１が赤点灯から緑点灯に変化する。
【０１１３】
時点ｔ３に移って、読取り動作が終了し、続いて、記録動作が開始されると、発光表示ランプ２１が緑点灯から緑点滅に変化する。次に、時点ｔ４に移って、記録動作が終了し、その記録の確認（ベリファイ）動作に入ると、発光表示ランプ２１が緑点滅から緑点灯に切り換えられる。そして、時点ｔ５に移って、記録の確認動作が終了すると、発光表示ランプ２１の緑点灯が消灯される。この時点で、読取動作および記録動作およびベリファイ動作などの印刷機能を有しない一般的な光ディスクドライブ装置の記録再生動作を完了したことになる。次に、時点ｔ６に移り、ディスクドライブ装置９によって光ディスク２が印刷用回転で回転されると、印刷装置１０によるレーベル面への印刷動作が開始される。このとき、発光表示ランプ２１は白点灯される。
【０１１４】
次に、時点ｔ７に移って、印刷動作が終了すると、発光表示ランプ２１の白点灯が消灯される。この時点で、本発明の印刷装置付ディスク記録及び／又は再生装置の主要機能である光ディスク２の情報記録面に対する記録再生動作と、光ディスク２の印刷面であるレーベル面に対する印刷動作を完了したことになる。そして、時点ｔ８に移って、ユーザーが１枚目の光ディスクの排出操作を選択すると、ディスクドライブ装置９による光ディスク２の排出動作が開始される。これにより、発光表示ランプ２１が赤点滅され、光ディスク２の排出動作が終了する時点ｔ９において、発光表示ランプ２１の赤点滅が消灯される。
【０１１５】
次に、２枚目の光ディスクに対して記録と印刷を行うために、ユーザーが操作する場合を考える。ここでは、インクタンク内のインクの残量がある程度残っている状態から、印刷後にインク残量が少ない状態に変化した場合について説明する。図２１において、時点ｔ10で、ユーザーがディスクドライブ装置９に２枚目の光ディスク２を挿入すると、記録再生動作に関して挿入動作が行われ、同時に、表示動作として発光表示ランプ２１が赤点灯される。このとき、印刷動作は行われず、印刷ヘッド３１のインクの状態においても変化は生じていない。次の、時点ｔ11から時点ｔ15までの動作及び表示は、前述した図２０の時点ｔ２から時点ｔ６までの処理と同様であるため、ここでは説明を省略する。
【０１１６】
次に、時点ｔ16に移って、シアン（Ｃ）のインク量が残り少なくなり、シアン残少と検知されたものとすると、この時点ｔ16では、発光表示ランプ２１の表示に変化を生じることはなく、印刷動作に対応する白点灯による表示が継続される。その後、時点ｔ17に移って、印刷動作が終了すると、発光表示ランプ２１の白点灯が、シアンの残量が少なくなったことを表すシアン点滅に切り換えられる。これにより、ユーザーは、インクタンク内のシアンの残量が少なくなったことを知ることができる。次に、時点ｔ18に移って、ユーザーが２枚目の光ディスクの排出操作を選択すると、ディスクドライブ装置９による光ディスク２の排出動作が開始される。これにより、発光表示ランプ２１が赤点滅され、光ディスク２の排出動作が終了する時点ｔ19において、発光表示ランプ２１は再びシアン点滅される。このようにして、時点ｔ17および時点ｔ19において、シアン点滅による表示動作が行われることにより、ユーザーは今後のシアン色のインクの補充に備えて交換用インクタンクの入手などの準備をすることができる。
【０１１７】
更に、３枚目の光ディスクに対して記録と印刷を行うために、ユーザーが操作する場合を考える。ここでは、インクタンク内のインクの残量が残っている状態から、印刷後にインク残量が無い状態に変化した場合について説明する。図２２において、時点ｔ19では、既にシアンのインク残量が少ない状態が検知されているため、発光表示ランプ２１はシアン点滅の状態にある。この状態では、インクタンクを交換する作業は行わないものとし、ユーザーはシアンインクの残量が少ないことを認識しているが印刷を指示したものとする。
【０１１８】
次に、時点ｔ20に移って、ユーザーがディスクドライブ装置９に３枚目の光ディスク２を挿入すると、記録再生動作に関して挿入動作が行われ、同時に、表示動作として発光表示ランプ２１が赤点灯される。このとき、印刷動作は行われず、印刷ヘッド３１のインクの状態は、シアン残量が少ない状態にある。次の、時点ｔ21から時点ｔ24までの動作及び表示は、前述した図２１の時点ｔ11から時点ｔ14までの処理と同様であるため、ここでは説明を省略する。
【０１１９】
次に、時点ｔ24において、記録動作の確認が終了すると、発光表示ランプ２１は、その確認作業を表す緑点灯から再びシアン点滅に切り換えられる。そして、時点ｔ25において、印刷装置１０によるレーベル面への印刷動作が開始されると、発光表示ランプ２１は白点灯される。次に、時点ｔ26に移って、印刷動作が終了すると共に、インク残量が「少ない状態」から「無い状態」に変化すると、発光表示ランプ２１は、シアンのインク量が無いことを表すシアン点灯になる。これにより、ユーザーは、インクタンク内のシアンの残量が無くなったことを知ることができる。
【０１２０】
次に、時点ｔ27に移って、ユーザーが３枚目の光ディスクの排出操作を選択すると、ディスクドライブ装置９による光ディスク２の排出動作が開始される。これにより、発光表示ランプ２１が赤点滅され、光ディスク２の排出動作が終了する時点ｔ28において、発光表示ランプ２１は再びシアン点灯される。
【０１２１】
また、インクが無い状態からインクの交換を行うために、ユーザーが操作する場合を考える。ここでは、ユーザーがシアンインクの残量が無いと認識しているのでインクタンクを交換し、この交換作業に連動じてディスクドライブ装置がタンク装着時のクリーニング動作を行う。図２３において、ユーザーがインクタンクを交換すると、インクタンクの取り外し作業を開始した時点ｔ29から、古いインクタンクを新しいインクタンクに取り替えた時点ｔ30を経て、その取り付け作業が終了する時点ｔ31までは、インクタンクが未装着な状態であるため、インクタンクが装着されていない状態を表す３色＋白の交互点灯が発光表示ランプ２１によって表示される。この３色＋白の交互点灯の動作の具体例としては、例えば、まず、シアンを１秒間点灯させ、続いて、マゼンタを１秒間点灯させ、次に、イエローを１秒間点灯させ、続いて、白を１秒間点灯させ、これをインクタンクの交換作業が終了するまで繰り返す。
【０１２２】
その後、インクタンクの取り替えが完了する時点ｔ31からは、タンク装着時のクリーニング動作が実行される。このとき、発光表示ランプ２１では、インクタンクが装着されてクリーニング動作が実行されている状態を表す白点滅が表示される。そして、タンク装着時のクリーニング動作が終了する時点ｔ32において、発光表示ランプ２１が消灯される。そのため、次の時点ｔ33においては、発光表示ランプ２１が消灯しているので、印刷装置１０におけるインクの状態などの光ディスク装置１に関してはエラー状態が無いとユーザーが認識することができる。
【０１２３】
最後に、４枚目の光ディスクに対して記録と印刷を行うために、ユーザーが操作する場合を考える。ここでは、インクタンク内のインクの残量も十分な量が残っている状態であるから、ユーザーは、これを使用して光ディスクに印刷することができる。図２４において、時点ｔ34で、ユーザーがディスクドライブ装置９に４枚目の光ディスク２を挿入すると、記録再生動作に関して挿入動作が行われ、同時に、表示動作として発光表示ランプ２１が赤点灯される。これ以後、時点ｔ34から時点ｔ42までの動作及び表示は、前述した図２０の時点ｔ１から時点ｔ９までの処理と同様であるため、ここでは説明を省略する。以上、図２０〜図２４に示した実施例によれば、ユーザーはインクの残量を適切に認識しながら、複数枚の光ディスク２への記録と印刷を繰り返すことができる。
【０１２４】
この実施例によれば、光ディスク装置１の前面に１個の発光表示ランプ２１を設けるだけで、印刷機能に関する動作やその状態を表示することができる。そのため、追加の表示用部品を必要とせず、既存の表示用部品を置き換えるだけで済むため、部品コストの増加を少なくすることができる。更に、筐体の前面パネルにおいて、新たな表示領域を必要としないので、デザインの大幅な変更を必要とすることなく、設計コストを少なくすることができる。また、ユーザーは、ディスクドライブ装置の動作状態を、発光表示ランプ２１の表示パターンによって知ることができるため、装置の状態の認識性を高めることができる。更に、ディスクドライブ装置の動作状態に関する表示が、印刷装置の機能に関する状態を表示する１個の発光表示ランプ２１によって表示されるため、状態認識の利便性を高めることができる。
【０１２５】
また、記録再生動作に関しては、既存の印刷機能の無い光ディスク装置と同じ表示状態を実現することができるため、ユーザーが装置の状態を誤認するおそれを少なくすることができる。更に、印刷機能に関しても、既存の印刷機能の光ディスク装置のユーザーであれば、印刷機能の動作や状態の表示がアクセスランプの点灯や点滅によって表示されることから、動作や状態に対するユーザーの認識性を向上させることができる。更に又、インクの残量表示については、アクセスランプがインク色と同じ色で点灯又は点滅されるため、インク残量表示の認識性も高めることができる。
【０１２６】
図２５は、アクセスランプ兼インク残量表示部８９によるインク残量表示の制御の第２の実施例を示すフローチャートである。この実施例は、前述したインク残量通知ボタン２２の有る実施例を示している。この実施例の処理工程は、基本的には前述した図１５に示した実施例と同様であり、この第２の実施例が第１の実施例と異なるところは、ステップＳ２０１〜Ｓ２０３の３箇所だけである。そのため、この図２５においては、同一部分には同一の符号を付して、重複した説明を省略し、異なる処理のステップＳ２０１〜Ｓ２０３を中心に説明する。なお、動作表示及び状態表示のための表示優先順位は、第１に「インク残量通知ボタン２２の押下げによるインク残量の状態表示」、第２に「記録再生の動作表示」、第３に「印刷できない状態表示」、第４に「印刷の動作表示」、第５に「印刷できる状態表示」の順序である。
【０１２７】
図２５において、ステップＳ１及びステップＳ２は前記インク残量表示の制御の第１の実施例と同様であり、ステップＳ２の次に、ステップＳ２０１が設けられている。ステップＳ２０１は、インク残量通知ボタン２２の押下状態を検知する。この処理は、インク残量通知ボタン２２が押下げられることによって自動的に検知される。次のステップＳ３は、前記実施例と同様であり、このステップＳ３において、「表示すべき動作や状態がある」と判定されたときに、追加されたステップＳ２０２に移行する。
【０１２８】
ステップＳ２０２では、インク残量通知ボタン２２が押されているか否かを判定する。このステップＳ２０２において、インク残量通知ボタン２２が押されていないと判定されたときには、ステップＳ４以下の前記実施例で述べた判定及び処理に移行する。一方、ステップＳ２０２において、インク残量通知ボタン２２が押されていると判定されたときには、ステップＳ２０３に移行する。このステップＳ２０３では、インク残量の状態の表示を行う。このインク残量の状態を表す表示処理は、例えば、図２６に示すような処理によって実行される。
【０１２９】
図２６において、まず、ステップＳ２０３１において、インクタンクが未装着であるか否かを判定する。この処理は、この実施例では、インクタンクが収納された印刷ヘッド３１が所定位置にセットされているかどうかを見ることによって判定することができる。このステップＳ２０３１において、インクタンクが未装着であると判定されたときには、ステップＳ２０３２に移行する。このステップＳ２０３２では、インクタンクが未装着であることを表す表示、この実施例では、発光表示ランプ２１による発光表示を、赤（Ｒ）緑（Ｇ）青（Ｂ）の３色に白（Ｗ）を加えた４色を所定時間連続させると共に順次切り換えて点灯させる「３色＋白交互点灯」で行う。これで処理を終了して、ステップＳ１に戻り、ステップＳ１〜ステップＳ１１の処理を繰り返す。そして、電源が切断されたときに、最終処理を終了する。
【０１３０】
一方、ステップＳ２０３１において、インクタンクが未装着ではない、すなわちインクタンクが装着されている状態であると判定されたときには、ステップＳ２０３３に移行する。このステップＳ２０３３では、各インク色の残量に応じた点灯・点滅制御を行ない、その状態を発光表示ランプ２１で発光表示する。この実施例では、例えば、マゼンタ（Ｍ）１色の残量が少ない場合にはマゼンタ点滅を行い、シアン（Ｃ）１色の残量が無い場合にはシアン点灯を行う。これで処理を終了して、ステップＳ１に戻り、ステップＳ１〜ステップＳ１１の処理を繰り返す。そして、電源が切断されたときに、最終処理を終了する。
【０１３１】
次に、図２５、図２６及び前述した図１６〜図１９に示したアルゴリズムに基づいて、ユーザーが操作した場合の一連の流れについて説明する。図２７〜図３１は、インク残量通知ボタン２２の有る場合の一実施例を示すものである。ここでは、ユーザーが４枚の光ディスク２を使用して、情報記録部にコンテンツを記録すると共に、レーベル面に印刷を行う場合を説明する。この実施例では、通常の操作では起きないが、その４枚の間で、インクの残量が少ない状態となり、次に、インクが無くなった状態までを想定して、それらの状態が遷移する様子を示している。
【０１３２】
なお、図２７〜図３１では、図２０〜図２４で示した実施例のユーザーの作業、ユーザーの操作、記録再生動作、印刷動作、ヘッドなどの状態及び表示動作に追加して、表示モードが設けられている。この図２０〜図２４において、図２０〜図２４で示した実施例と同一部分には同一の符号を付して、重複した説明を省略する。
【０１３３】
まず、１枚目の光ディスクに対して記録と印刷を行うために、ユーザーが操作する場合について考える。この操作の開始時点では、３色のインクは、すべて十分な量があるものとする。図２７において、まず、時点ｔ１で、ユーザーがディスクドライブ装置９に１枚目の光ディスク２を挿入すると、記録再生動作に関して挿入動作が行われる。このときの表示モードは「動作／状態表示」であり、表示動作として発光表示ランプ２１が赤点灯される。このとき、印刷動作は行われず、印刷ヘッド３１のインクの状態においても変化は生じていない。
【０１３４】
この時点ｔ１から時点ｔ３までは同様である。次に、時点ｔ3aに移って、ユーザーがインク残量通知ボタン２２を押圧（オン）すると、図２５におけるステップＳ２０２及びステップＳ２０３の処理が行われて、表示モードが「インク残量表示」に切り換えられ、発光表示ランプ２１の表示がインク残量表示に変更される。このとき、例えば、インク残量がシアン（Ｃ）５０％、マゼンタ（Ｍ）２５％、イエロー（Ｙ）２５％であるものとすると、それまでの発光表示である緑点滅が、各色のインク量に応じたインク残量表示に切り換えられる。
【０１３５】
この場合、前記実施例に当てはめると、例えば、シアン（青＋緑）を１．０秒点灯した後１．０秒消灯させ、続いて、マゼンタ（赤＋青）を１．５秒点灯した後０．５秒消灯させ、次に、イエロー（赤＋緑）を１．５秒点灯した後０．５秒消灯させる。この間隔により、シアン、消灯、マゼンタ、消灯、イエロー、消灯を繰り返す。このとき、ユーザーは、各色の点灯時間とその間の消灯時間に基づいて各色のインクの残量状態を大まかに認識することができる。なお、各インクの残量が具体的に検出される場合には、その検出値に基づいて発光表示ランプ２１の点灯時間と消灯時間をインクの残量に関連付けて表示することにより、インク残量がシアン約５０％、マゼンタ及びイエローがそれぞれ約２５％であることを認識することも可能である。
【０１３６】
その後、時点ｔ4aに移って、ユーザーがインク残量通知ボタン２２をオフすると、図２５におけるステップＳ２０３の処理が行われなくなって、表示モードが「インク残量表示」から「動作／状態表示」に切り換えられる。これにより、発光表示ランプ２１の表示がインク残量表示から、そのときの記録再生動作（この実施例では記録確認動作）を表す緑点灯に変更される。その後の時点ｔ５から時点ｔ９までは、前記実施例と同様である。
【０１３７】
次に、２枚目の光ディスクに対して記録と印刷を行うために、ユーザーが操作する場合を考える。ここでは、インクタンク内のインクの残量がある程度残っている状態から、印刷後にインク残量が少ない状態に変化した場合について説明する。図２８において、時点ｔ10から時点ｔ13までは、前記実施例の場合と同様である。次に、時点ｔ13a に移って、ユーザーがインク残量通知ボタン２２をオンすると、表示モードが「動作／状態表示」から「インク残量表示」に切り換えられる。そして、発光表示ランプ２１の表示が、そのときの記録再生動作の表示である緑点灯からインク残量表示に変更される。
【０１３８】
このとき、例えば、インク残量がシアン（Ｃ）４０％、マゼンタ（Ｍ）２０％、イエロー（Ｙ）２０％であるものとすると、それまでの発光表示である緑点滅が、各色のインク量に応じたインク残量表示に切り換えられる。この場合、前記実施例に当てはめると、例えば、シアン（青＋緑）を１．２秒点灯させた後０．８秒消灯させ、次に、マゼンタ（赤＋青）を１．６秒点灯させた後０．４秒消灯させ、次いで、イエロー（赤＋緑）を１．６秒点灯させた後０．４秒消灯させる。このとき、ユーザーは、各色の点灯時間とその間の消灯時間に基づいて各色のインクの残量状態を大まかに認識することができる。なお、各インクの残量が具体的に検出される場合には、その検出値に基づいてインク残量がシアン約４０％、マゼンタ及びイエローがそれぞれ約２０％であることを認識することも可能である。
【０１３９】
その後、時点ｔ15aに移って、ユーザーがインク残量通知ボタン２２をオフすると、表示モードが「インク残量表示」から「動作／状態表示」に切り換えられる。これにより、発光表示ランプ２１の表示がインク残量表示から、そのときの記録再生動作（この実施例では印刷用回転）を表す白点灯に変更される。次に、時点ｔ16において、例えば、マゼンタの残量が少なくなり、その後時点ｔ17に移って、印刷動作が終了すると、発光表示ランプ２１の表示が、マゼンタの残量が少ないことを表すマゼンタ点滅に切り換えられる。このようにして、時点ｔ13aから時点ｔ15aまでの間において「インク残量表示」モードによる表示動作が行われることにより、及び／又は、時点ｔ17および時点ｔ19においてマゼンタ点滅による表示動作が行われることにより、ユーザーは今後のマゼンタ色及び／又はイエロー色のインクの補充に備えて交換用インクタンクの入手などの準備をすることができる。
【０１４０】
次に、時点ｔ18に移って、ユーザーが光ディスク２の排出を選択すると、記録再生動作が排出動作に切り換えられる。これにより、発光表示ランプ２１の表示が、マゼンタ点滅から、光ディスク２の排出動作を表す赤点滅に切り換えられる。そして、時点ｔ19に移って、光ディスク２の排出が終了すると、発光表示ランプ２１の表示が、再び赤点滅からマゼンタの残量が少なくなったことを表示するマゼンタ点滅に切り換えられる。
【０１４１】
更に、３枚目の光ディスクに対して記録と印刷を行うために、ユーザーが操作する場合を考える。ここでは、インクタンク内のインクの残量が残っている状態から、印刷後にインク残量が無い状態に変化した場合について説明する。ユーザーはマゼンタインクの残量が少ないことを認識しているが印刷を指示したものとして、図２９において、時点ｔ19から時点ｔ26までは、前記実施例とはシアンインクが少ないかマゼンタインクが少ないかのインクの色の違いがあるものの、それ以外は同様である。次に、時点ｔ26において、印刷動作が終了したときに、例えば、マゼンタ（Ｍ）が「残量少ない」状態から「残量無い」状態に変化したことが検出されたものとすると、発光表示ランプ２１の表示が、印刷状態を表す白点灯から、マゼンタの残量が無い状態を表すマゼンタ点灯に切り換えられる。これにより、ユーザーは、インクのマゼンタ（Ｍ）が無いことを認識することができる。
【０１４２】
次に、時点ｔ27に移って、ユーザーが光ディスク２の排出を選択すると、記録再生動作が排出動作に切り換えられる。これにより、発光表示ランプ２１の表示が、マゼンタ点灯から、光ディスク２の排出動作を表す赤点滅に切り換えられる。そして、時点ｔ28に移って、光ディスク２の排出が終了すると、発光表示ランプ２１の表示が、再び赤点滅からマゼンタの残量が無いことを表示するマゼンタ点灯に切り換えられる。その後、時点ｔ28aに移って、ユーザーがインク残量通知ボタン２２をオンすると、表示モードが「動作／状態表示」から「インク残量表示」に切り換えられる。そして、発光表示ランプ２１の表示が、そのときの「マゼンタ残量無い」状態を表すマゼンタ点灯からインク残量表示に切り換えられる。これにより、時点ｔ26および時点ｔ28において、ユーザーは、インクのマゼンタ（Ｍ）が無いことを認識することができる。そして、ユーザーはインクの残量をより詳細に確認する目的でインク残量通知ボタン２２をオンする。
【０１４３】
このとき、例えば、インク残量がシアン（Ｃ）２０％、マゼンタ（Ｍ）０％、イエロー（Ｙ）２０％であるものとすると、それまでの発光表示であるマゼンタ点灯が、各色のインク量に応じたインク残量表示に切り換えられる。この場合、前記実施例に当てはめると、例えば、シアン（青＋緑）を１．６秒点灯した後０．４秒消灯させ、次に、マゼンタ（赤＋青）を２．０秒点灯した後消灯時間をおくことなく、続いて、イエロー（赤＋緑）を１．６秒点灯した後０．４秒消灯させる。この間隔により、シアン、消灯、マゼンタ、イエロー、消灯を繰り返す。このとき、ユーザーは、各色の点灯時間とその間の消灯時間に基づいて各色のインクの残量状態を大まかに認識することができる。なお、各インクの残量が具体的に検出される場合には、その検出値に基づいてインク残量がシアン約２０％、マゼンタ０％、及びイエロー約２０％であることを認識することができる。
【０１４４】
その後、時点ｔ29に移って、ユーザーがインク残量通知ボタン２２をオフすると、表示モードが「インク残量表示」から「動作／状態表示」に切り換えられる。これにより、発光表示ランプ２１の表示がインク残量表示から、既に検出されている「マゼンタ残量無い」状態を表すマゼンタ点灯に切り換えられる。その結果、時点ｔ28aから時点ｔ29に至る間、ユーザーは、マゼンタのインクが無い状態を認識することができる。そして、各インクの残量が具体的に検出される場合には、その検出値に基づいてインク残量がマゼンタ０％、シアン約２０％、イエロー約２０％であることを認識することも可能である。
【０１４５】
また、インクが無い状態からインクの交換を行うために、ユーザーが操作する場合を考える。ここでは、ユーザーがマゼンタインクの残量が無いと認識しているのでインクタンクを交換し、この交換作業に連動じてディスクドライブ装置がタンク装着時のクリーニング動作を行う。図３０において、時点ｔ29から時点ｔ33までは、前記実施例と同様である。次に、時点ｔ33a において、ユーザーがインク残量通知ボタン２２をオンすると、表示モードが「動作／状態表示」から「インク残量表示」に切り換えられる。これにより、それまで消灯していた発光表示ランプ２１が、インク残量表示によって表示される。
【０１４６】
このとき、印刷装置１０には新しいインクタンクが装着されているため、印刷ヘッドなどの状態に変化はない。また、発光表示ランプ２１のインク残量表示は、シアン、マゼンタ、イエローのすべての色のインクが略満杯であることが検出されるため、これに対応した表示がなされる。例えば、シアン（青＋緑）を０．５秒点灯した後１．５秒消灯させ、次に、マゼンタ（赤＋青）を０．５秒点灯した後１．５秒消灯させ、続いて、イエロー（赤＋緑）を０．５秒点灯した後１．５秒消灯させる。この間隔により、シアン、消灯、マゼンタ、消灯、イエロー、消灯を繰り返す。このとき、ユーザーは、各色の点灯時間とその間の消灯時間に基づいて、各色のインクの残量状態、即ち、各色がすべて略満杯であることを認識することができる。
【０１４７】
次に、時点ｔ33b に移って、ユーザーがインク残量通知ボタン２２をオフすると、表示モードが「インク残量表示」から「動作／状態表示」に切り換えられる。これにより、発光表示ランプ２１のインク残量表示が消灯される。これにより、ユーザーは、時点ｔ33aから時点ｔ33bの間、３色のすべてが略満杯であることを認識することができる。
【０１４８】
最後に、４枚目の光ディスクに対して記録と印刷を行うために、ユーザーが操作する場合を考える。ここでは、インクタンク内のインクの残量も十分な量が残っている状態であるから、ユーザーは、これを使用して光ディスクに印刷することができる。図３１において、時点ｔ34から時点ｔ36まで、及び時点ｔ38から時点ｔ42までの間は、前記実施例と同様である。時点ｔ36aにおいて、ユーザーがインク残量通知ボタン２２をオンすると、表示モードが「動作／状態表示」から「インク残量表示」に切り換えられ、同時に発光表示ランプ２１がインク残量表示に切り換えられる。このとき、インクタンク内のインクは十分な量が残っている状態であるため、これに対応したインク残量表示が発光表示ランプ２１によってなされる。
【０１４９】
発光表示ランプ２１によるインク残量表示は、時点ｔ37において記録動作が終了して確認動作に移った後にも変更されることはない。次に、時点ｔ37に移って、ユーザーがインク残量通知ボタン２２をオフすると、表示モードが「インク残量表示」から「動作／状態表示」に切り換えられ、これと同時に、発光表示ランプ２１のインク残量表示が、記録の確認動作を表示する緑点灯に切り換えられる。これにより、ユーザーは、時点ｔ36aから時点ｔ37aの間、３色のすべてが略満杯であることを認識することができる。以上、図２７〜図３１に示した実施例によれば、ユーザーはインクの残量を適切に認識しながら、複数枚の光ディスク２への記録と印刷を繰り返すことができる。
【０１５０】
この実施例で説明したように、インク残量通知ボタン２２によるインク残量表示を行うことにより、インク残量を定量的に検出してユーザーに通知することができる。しかも、追加の部品として押ボタンを設けるだけでよいため、大きなコストアップを生ずることもない。この実施例によれば、ユーザーは、記録再生動作に係わらず、任意の時点でインク残量を定量的に認識することができ、「あとどれくらいでインク交換すべきか」等の判断が容易になり、印刷準備やインク交換準備等に対する利便性を高めることができる。更に、狭い前面パネルにおいても、少ない領域に発光表示ランプ２１が設置可能であるため、装置の大型化を生ずることがなく、また、設計コストを少なくすることができる。
【０１５１】
本発明は、前述しかつ図面に示した実施の形態に限定されるものではなく、その要旨を逸脱しない範囲内で種々の変形実施が可能である。例えば、前記実施の例では、ＤＶＤ−ＲＷを記録媒体として用いた例について説明したが、光磁気ディスクや磁気ディスク等を用いた他の記録方式の記録媒体を使用した印刷装置を有する光ディスク装置に適用できるものである。更に、本発明に係るディスク記録及び／又は再生装置としては、記録と再生の双方が可能な光ディスク記録再生装置に限定されるものではなく、この種の印刷装置を用いることができるディスク記録装置又はディスク再生装置その他のディスク記録及び／又は再生装置に適用できるものである。
【図面の簡単な説明】
【０１５２】
【図１】本発明の印刷装置付ディスク記録及び／再生装置の第１の実施の形態に係るディスクトレイ方式の光ディスク装置であって、ディスクトレイを飛び出した状態の斜視図である。
【図２】本発明の印刷装置付ディスク記録及び／再生装置の第１の実施の形態を示す光ディスク装置であって、筐体の上面板を取り除いた状態の斜視図である。
【図３】本発明の印刷装置付ディスク記録及び／再生装置の第１の実施の形態を示す光ディスク装置であって、筐体の上面板を取り除いた状態の平面図である。
【図４】図２に示す光ディスク装置から更に印刷装置を取り除いた状態の斜視図である。
【図５】本発明の印刷装置付ディスク記録及び／再生装置の第１の実施の形態を示す光ディスク装置に係る印刷装置の第１の実施の形態を示す斜視図である。
【図６】本発明の印刷装置付ディスク記録及び／再生装置の第１の実施の形態を示す光ディスク装置に係る印刷装置の印刷ヘッドとディスクドライブ装置の光学ピックアップと光ディスクの位置関係を説明する斜視図である。
【図７】本発明の印刷装置付ディスク記録及び／再生装置の第１の実施の形態を示す光ディスク装置に係る印刷装置の印刷ヘッドとディスクドライブ装置の光学ピックアップと光ディスクの位置関係を説明する側面図である。
【図８】図７に示すＷ−Ｗ線部分を断面した印刷ヘッド組立体の説明図である。
【図９】本発明の印刷装置付ディスク記録及び／再生装置の第１の実施の形態を示す光ディスク装置に係る印刷装置の印刷ヘッド組立体をインク吐出部側から見た斜視図である。
【図１０】本発明の印刷装置付ディスク記録及び／再生装置の第１の実施の形態に係る光ディスク装置の制御部の概略構成を示すブロック説明図である。
【図１１】本発明の印刷装置付ディスク記録及び／再生装置に係る発光表示部の表示形態の例を示す説明図である。
【図１２】本発明の印刷装置付ディスク記録及び／再生装置に係る発光表示部の表示形態の例を示すもので、図１２Ａは記録再生の動作表示、図１２Ｂは印刷の動作表示、図１２Ｃはインク残量残少表示と残無表示、図１２Ｄはインク残量残少表示と残無表示の他の例を、示すそれぞれ説明図である。
【図１３】本発明の印刷装置付ディスク記録及び／再生装置に係る発光表示部のインク残量表示モードのパターンの例を示す説明図である。
【図１４】本発明の印刷装置付ディスク記録及び／再生装置に係る発光表示部のインク残量表示モードと動作表示モードの例を示す説明図である。
【図１５】本発明の印刷装置付ディスク記録及び／再生装置の第１の実施の形態に係る光ディスク装置の制御部における動作の流れの第１の実施例を示すフローチャートである。
【図１６】図１５のフローチャートにおける記録再生動作の表示処理（ステップＳ５）の一実施例を示すフローチャートである。
【図１７】図１５のフローチャートにおける印刷できない状態の表示処理（ステップＳ７）の一実施例を示すフローチャートである。
【図１８】図１５のフローチャートにおける印刷動作の表示処理（ステップＳ９）の一実施例を示すフローチャートである。
【図１９】図１５のフローチャートにおける印刷できる状態の表示処理（ステップＳ１１）の一実施例を示すフローチャートである。
【図２０】本発明の印刷装置付ディスク記録及び／再生装置の第１の実施の形態に係る光ディスク装置の制御部におけるインク残量通知ボタンが無い場合の制御の第１の実施例を示す説明図である。
【図２１】本発明の印刷装置付ディスク記録及び／再生装置の第１の実施の形態に係る光ディスク装置の制御部におけるインク残量通知ボタンが無い場合の制御の第２の実施例を示す説明図である。
【図２２】本発明の印刷装置付ディスク記録及び／再生装置の第１の実施の形態に係る光ディスク装置の制御部におけるインク残量通知ボタンが無い場合の制御の第３の実施例を示す説明図である。
【図２３】本発明の印刷装置付ディスク記録及び／再生装置の第１の実施の形態に係る光ディスク装置の制御部におけるインク残量通知ボタンが無い場合の制御の第４の実施例を示す説明図である。
【図２４】本発明の印刷装置付ディスク記録及び／再生装置の第１の実施の形態に係る光ディスク装置の制御部におけるインク残量通知ボタンが無い場合の制御の第５の実施例を示す説明図である。
【図２５】本発明の印刷装置付ディスク記録及び／再生装置の第１の実施の形態に係る光ディスク装置の制御部における動作の流れの第２の実施例を示すフローチャートである。
【図２６】図２５のフローチャートにおけるインク残量の状態の表示処理（ステップＳ２０３）の一実施例を示すフローチャートである。
【図２７】本発明の印刷装置付ディスク記録及び／再生装置の第１の実施の形態に係る光ディスク装置の制御部におけるインク残量通知ボタンが有る場合の制御の第１の実施例を示す説明図である。
【図２８】本発明の印刷装置付ディスク記録及び／再生装置の第１の実施の形態に係る光ディスク装置の制御部におけるインク残量通知ボタンが有る場合の制御の第２の実施例を示す説明図である。
【図２９】本発明の印刷装置付ディスク記録及び／再生装置の第１の実施の形態に係る光ディスク装置の制御部におけるインク残量通知ボタンが有る場合の制御の第３の実施例を示す説明図である。
【図３０】本発明の印刷装置付ディスク記録及び／再生装置の第１の実施の形態に係る光ディスク装置の制御部におけるインク残量通知ボタンが有る場合の制御の第４の実施例を示す説明図である。
【図３１】本発明の印刷装置付ディスク記録及び／再生装置の第１の実施の形態に係る光ディスク装置の制御部におけるインク残量通知ボタンが有る場合の制御の第５の実施例を示す説明図である。
【符号の説明】
【０１５３】
１…光ディスク装置（印刷機能付ディスク記録及び／再生装置）、  ２…光ディスク（ディスク状記録媒体）、  ６…前面板、  ８…装置本体、  ９…ディスクドライブ装置、  １０…印刷装置、  １１…ディスク出入口、  １２…ディスクトレイ、  ２１…発光表示ランプ（発光表示部）、  ２２…インク残量通知ボタン（第２の発光制御部）、  ２３…光学ピックアップ（ピックアップ装置）、  ３０…イジェクトボタン、  ３１…印刷ヘッド、  ３２…ヘッド移動機構、  ３７…インク吐出部、  ８０…制御装置、  ８１…中央制御部（第１の発光制御部）、  ８３…ドライブ制御部（ドライブ状態検出部）、  ８８…プリント制御部、  ８９…アクセスランプ兼インク残量表示部（発光表示部）、  ９３…インク残量検出回路（インク量検出部）
【図１】
2009170010.tif 000003
【図２】
2009170010.tif 000004
【図３】
2009170010.tif 000005
【図４】
2009170010.tif 000006
【図５】
2009170010.tif 000007
【図６】
2009170010.tif 000008
【図７】
2009170010.tif 000009
【図８】
2009170010.tif 000010
【図９】
2009170010.tif 000011
【図１０】
2009170010.tif 000012
【図１１】
2009170010.tif 000013
【図１２】
2009170010.tif 000014
【図１３】
2009170010.tif 000015
【図１４】
2009170010.tif 000016
【図１５】
2009170010.tif 000017
【図１６】
2009170010.tif 000018
【図１７】
2009170010.tif 000019
【図１８】
2009170010.tif 000020
【図１９】
2009170010.tif 000021
【図２０】
2009170010.tif 000022
【図２１】
2009170010.tif 000023
【図２２】
2009170010.tif 000024
【図２３】
2009170010.tif 000025
【図２４】
2009170010.tif 000026
【図２５】
2009170010.tif 000027
【図２６】
2009170010.tif 000028
【図２７】
2009170010.tif 000029
【図２８】
2009170010.tif 000030
【図２９】
2009170010.tif 000031
【図３０】
2009170010.tif 000032
【図３１】
2009170010.tif 000033